(57)【要約】  本発明の実施形態は、信号送信方法及びユーザ装置を提供する。前記方法は、ユーザ装置により指示信号を受信するステップであって、前記指示信号は、1つまたは複数の制御信号により占有される物理リソースのリソース番号を示すために使用され、前記リソース番号は、前記物理リソースの時間情報及び周波数情報を具備する、ステップと、前記リソース番号に従って、前記ユーザ装置により、対応する物理リソースを前記1つまたは複数の制御信号に割り当てるステップと、前記ユーザ装置により、前記1つまたは複数の制御信号を送信するステップと、を具備する。本発明の前記実施形態によれば、受信端におけるエネルギー消費量が節約可能となる。
2016529784.tif 000002
【特許請求の範囲】
【請求項１】
信号送信方法であって、
ユーザ装置が、指示信号を受信するステップであって、前記指示信号は、1つまたは複数の制御信号により物理リソースのリソース番号が占有されていることを示すために使用され、前記リソース番号は、前記物理リソースの時間情報及び周波数情報を具備するステップと、
前記ユーザ装置が、前記リソース番号に従って、対応する物理リソースを前記1つまたは複数の制御信号に割り当てるステップと、
前記ユーザ装置が、前記1つまたは複数の制御信号を送信するステップと、
を具備することを特徴とする信号送信方法。
【請求項２】
前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、
異なる物理リソースグループにおける同じリソース番号は、同じ時間シーケンス番号及び同じ周波数シーケンス番号に対応し、又は、
異なる物理リソースグループにおける同じリソース番号は、同じ時間シーケンス番号及び異なる周波数シーケンス番号に対応し、又は、
異なる物理リソースグループにおける同じリソース番号は、異なる時間シーケンス番号及び同じ周波数シーケンス番号に対応し、又は、
異なる物理リソースグループにおける同じリソース番号は、異なる時間シーケンス番号及び異なる周波数シーケンス番号に対応することを特徴とする請求項１に記載の方法。
【請求項３】
異なる物理リソースグループにおける同じリソース番号が、同じ時間シーケンス番号及び同じ周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、floor(x/M)であり、
mod()は、モジュロ関数であり、floor()は、床関数であり、xは、ゼロ又は正の整数であり、M及びNは、正の整数であることを特徴とする請求項２に記載の方法。
【請求項４】
異なる物理リソースグループにおける同じリソース番号が、同じ時間シーケンス番号及び異なる周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、mod[floor(x/M)+P*Qf,N]であり、 
mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数であることを特徴とする請求項２に記載の方法。
【請求項５】
異なる物理リソースグループにおける同じリソース番号が、異なる時間シーケンス番号及び同じ周波数シーケンス番号に対応する場合、前記物理リソースグループのそれぞれは、Mの時間リソースを具備し、
前記時間リソースのそれぞれは、Nの周波数リソースを具備し、
したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、
mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数であることを特徴とする請求項２に記載の方法。
【請求項６】
異なる物理リソースグループにおける同じリソース番号が、異なる時間シーケンス番号及び異なる周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、
mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数であることを特徴とする請求項２に記載の方法。
【請求項７】
前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応することを特徴とする請求項１に記載の方法。
【請求項８】
異なる時間リソース番号の中で、同じ周波数リソース番号が、同じ周波数シーケンス番号に対応する場合、周波数リソース番号がｘである物理リソースの周波数シーケンス番号は、mod(x,N)であり、
mod()は、モジュロ関数であり、xは、ゼロ又は正の整数であり、Nは、正の整数であり、それぞれの時間シーケンス番号に対応する周波数リソース番号の数を示すことを特徴とする請求項７に記載の方法。
【請求項９】
異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、
mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数であることを特徴とする請求項７に記載の方法。
【請求項１０】
Qf及び／又はQtは、セル識別情報により判定されることを特徴とする請求項１から９のいずれか一項に記載の方法。
【請求項１１】
Qfは、Qf=mod(ID_cell,N)であり、及び／又は、Qtは、Qt=mod(ID_cell,M)であり、ID_cellは、前記セル識別情報であることを特徴とする請求項１０に記載の方法。
【請求項１２】
前記セル識別情報は、物理的セル識別情報であることを特徴とする請求項１１に記載の方法。
【請求項１３】
Mは２以上の正の整数であり、及び／又は、Nは２以上の正の整数であることを特徴とする請求項１から９のいずれか一項に記載の方法。
【請求項１４】
ユーザ装置により指示信号を受信する前記ステップは、基地局により送信された指示信号を前記ユーザ装置により受信するステップを具備することを特徴とする請求項１から１３のいずれか一項に記載の方法。
【請求項１５】
ユーザ装置であって、
指示信号を受信するように構成されている受信ユニットであって、前記指示信号は、1つまたは複数の制御信号により物理リソースのリソース番号が占有されていることを示すために使用され、前記リソース番号は、前記物理リソースの時間情報及び周波数情報を具備する、受信ユニットと、
前記リソース番号に従って、対応する物理リソースを前記1つまたは複数の制御信号に割り当てるように構成されている割り当てユニットと、
前記1つまたは複数の制御信号を送信するように構成されている送信ユニットと、
を具備することを特徴とするユーザ装置。
【請求項１６】
前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、
異なる物理リソースグループにおける同じリソース番号は、同じ時間シーケンス番号及び同じ周波数シーケンス番号に対応し、又は、
異なる物理リソースグループにおける同じリソース番号は、同じ時間シーケンス番号及び異なる周波数シーケンス番号に対応し、又は、
異なる物理リソースグループにおける同じリソース番号は、異なる時間シーケンス番号及び同じ周波数シーケンス番号に対応し、又は、
異なる物理リソースグループにおける同じリソース番号は、異なる時間シーケンス番号及び異なる周波数シーケンス番号に対応することを特徴とする請求項１５に記載のユーザ装置。
【請求項１７】
異なる物理リソースグループにおける同じリソース番号が、同じ時間シーケンス番号及び同じ周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、floor(x/M)であり、
mod()は、モジュロ関数であり、floor()は、床関数であり、xは、ゼロ又は正の整数であり、そしてM及びNは、正の整数であることを特徴とする請求項１６に記載のユーザ装置。
【請求項１８】
異なる物理リソースグループにおける同じリソース番号が、同じ時間シーケンス番号及び異なる周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、mod[floor(x/M)+P*Qf,N]であり、
mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数であることを特徴とする請求項１６に記載のユーザ装置。
【請求項１９】
異なる物理リソースグループにおける同じリソース番号が、異なる時間シーケンス番号及び同じ周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は
mod{mod(x,M)+[mod[floor(x/M),M-1]+1]*Qt*P,M},
であり、
前記物理リソースの周波数シーケンス番号は、floor(x/M)であり、
mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、そしてM, N, 及びQtは、正の整数であることを特徴とする請求項１６に記載のユーザ装置。
【請求項２０】
異なる物理リソースグループにおける同じリソース番号が、異なる時間シーケンス番号及び異なる周波数シーケンス番号に対応する場合、前記物理リソースグループのそれぞれは、M時間リソースを具備し、
前記時間リソースのそれぞれは、N周波数リソースを具備し、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は
mod{mod(x,M)+[mod[floor(x/M),M-1]+1]*Qt*P,M},
であり、
前記物理リソースの周波数シーケンス番号は、mod[floor(x/M)+P*Qf,N]であり、
mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、そしてM, N, Qt, 及びQfは、正の整数であることを特徴とする請求項１６に記載のユーザ装置。
【請求項２１】
前記時間情報は、時間リソース番号であり、前記周波数情報は、周波数リソース番号であり、そして、異なる時間リソース番号の中で、同じ周波数リソース番号は、同じ周波数シーケンス番号、又は異なる周波数シーケンス番号に対応することを特徴とする請求項１５に記載のユーザ装置。
【請求項２２】
異なる時間リソース番号の中で、同じ周波数リソース番号が、同じ周波数シーケンス番号に対応する場合、周波数リソース番号がｘである物理リソースの周波数シーケンス番号は、mod(x,N)であり、mod()は、モジュロ関数であり、xは、ゼロ又は正の整数であり、そして、Nは、正の整数であり、それぞれの時間シーケンス番号に対応する周波数リソース番号の数を示していることを特徴とする請求項２１に記載のユーザ装置。
【請求項２３】
異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、mod()は、モジュロ関数であり、Ptは、時間シーケンス番号を示すゼロ又は正の整数であり、Nは、それぞれの時間シーケンス番号に対応する周波数リソース番号の数を示しており、Qfは、周波数ホッピングステップであり、xは、ゼロ又は正の整数であり、そして、NとQfは、正の整数であることを特徴とする請求項２１に記載のユーザ装置。
【請求項２４】
Qf及び／又はQtは、セル識別情報により判定されることを特徴とする請求項１５から２３のいずれか一項に記載のユーザ装置。
【請求項２５】
Qfは、Qf=mod(ID_cell,N)であり、及び／又は、Qtは、Qt=mod(ID_cell,M)であり、ID_cellは、前記セル識別情報であることを特徴とする請求項２４に記載のユーザ装置。
【請求項２６】
前記セル識別情報は、物理的セル識別情報であることを特徴とする請求項２５に記載のユーザ装置。
【請求項２７】
Mは２以上の正の整数であり、及び／又は、Nは２以上の正の整数であることを特徴とする請求項１５から２３のいずれか一項に記載のユーザ装置。
【請求項２８】
前記受信ユニットは、基地局により送信された指示信号を受信するように特に構成されていることを特徴とする請求項１５から２７のいずれか一項に記載のユーザ装置。
【発明の詳細な説明】
【技術分野】
【０００１】
本出願は、参照により全体が本明細書に組み込まれている、2011年4月11日に中華人民共和国国家知識産権局に出願した、「SIGNAL TRANSMISSION METHOD AND USER EQUIPMENT」という名称の中国特許出願第PCT/CN2014/079495号の優先権を主張するものである。
【０００２】
前記本発明は、通信分野に関連し、より具体的には、信号送信方法及びユーザ装置に関する。
【背景技術】
【０００３】
ユーザ装置(UE:User Equipment)間のD2D ProSe(Device to Device Proximity Service)が、ロング・ターム・エボリューション(LTE:Long Term Evolution)システムの注目の話題になっている。
【０００４】
D2D ProSeは、データ信号及び制御信号に関連し、前記制御信号は、前記データ信号により占有される周波数リソースを示すために使用され、前記データ信号は、データを搬送するために使用される。
【０００５】
しかし、既存のLTE通信システムにおいて、受信端は、制御信号により占有されている時間リソースを判定できず、前記制御信号を得られるように、すべての可能な時間リソース上でブラインド検出を実行する必要があるため、前記受信端が、前記制御信号を取得するために時間と電気エネルギーをより消費しなければならない原因となる。
【発明の概要】
【課題を解決するための手段】
【０００６】
本発明の実施形態は、受信端におけるエネルギー消費量を減少可能な、信号送信方法及びユーザ装置を提供する。
【０００７】
第１の特徴によると、ユーザ装置が、指示信号を受信するステップであって、前記指示信号は、1つまたは複数の制御信号、例えば、スケジューリング割り当て(SA:Scheduling Assignment)信号などにより、物理リソースのリソース番号が占有されていることを示すために使用され、前記リソース番号は、前記物理リソースの時間情報及び周波数情報を具備し、前記ユーザ装置が、前記リソース番号に従って、対応する物理リソースを前記1つまたは複数の制御信号に割り当てるステップと、前記ユーザ装置が前記1つまたは複数の制御信号を送信するステップと、を具備する信号送信方法が提供される。
【０００８】
前記第1の特徴に関連し、前記第1の特徴の第１の実装方法において、前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、異なる物理リソースグループにおける同じリソース番号は、同じ時間シーケンス番号及び同じ周波数シーケンス番号に対応し、又は異なる物理リソースグループにおける同じリソース番号は、同じ時間シーケンス番号及び異なる周波数シーケンス番号に対応し、又は異なる物理リソースグループにおける同じリソース番号は、異なる時間シーケンス番号及び同じ周波数シーケンス番号に対応し、又は異なる物理リソースグループにおける同じリソース番号は、異なる時間シーケンス番号及び異なる周波数シーケンス番号に対応する。
【０００９】
前記第1の特徴の前記第1の可能な実装方法に関連し、第２の実装方法において、異なる物理リソースグループにおける同じリソース番号が、同じ時間シーケンス番号及び同じ周波数シーケンス番号に対応する場合、各前記物理リソースグループは、M 時間リソースを含み、各前記時間リソースは、N 周波数リソースを含み、したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００１０】
前記第1の特徴の前記第1の可能な実装方法に関連し、第３の実装方法において、異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００１１】
前記第1の特徴の前記第1の可能な実装方法に関連し、第４の実装方法において、異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００１２】
前記第1の特徴の前記第1の可能な実装方法に関連し、第５の実装方法において、異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００１３】
前記第1の特徴の前記第２から第５の可能な実装方法のいずれか１つの関連し、第６の実装方法において、Mは２以上の正の整数である、及び／又は、Nは２以上の正の整数である。
【００１４】
前記第1の特徴に関連し、第７の可能な実装方法において、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００１５】
前記第1の特徴の前記第７の可能な実装方法に関連し、第８の可能な実装方法において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【００１６】
前記第1の特徴の前記第７の可能な実装方法に関連し、第９の可能な実装方法において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数である。
【００１７】
前記第1の特徴の第８又は第９の可能な実装方法に関連し、第１０の可能な実装方法において、Nは２以上の正の整数である。
【００１８】
前記第1の特徴の第３又は第９の可能な実装方法に関連し、第１１の可能な実装方法において、Qfは、セル識別情報により判定される。
【００１９】
前記第1の特徴の前記第１１の可能な実装方法に関連し、第１２の可能な実装方法において、Qfは、Qf=mod(ID_cell,N)であり、ここで、ID_cellは、前記セル識別情報である。
【００２０】
前記第1の特徴の前記第１２の可能な実装方法に関連し、第１３の可能な実装方法において、前記セル識別情報は、物理的セル識別情報である。
【００２１】
前記第1の特徴の前記第４の可能な実装方法に関連し、第１４の可能な実装方法において、Qtは、セル識別情報により判定される。
【００２２】
前記第1の特徴の前記第１４の可能な実装方法に関連し、第１５の可能な実装方法において、Qtは、Qt=mod(ID_cell,M)であり、ここで、ID_cellは、前記セル識別情報である。
【００２３】
前記第1の特徴の前記第１５の可能な実装方法に関連し、第１６の可能な実装方法において、前記セル識別情報は、物理的セル識別情報である。
【００２４】
前記第1の特徴の前記第５の可能な実装方法に関連し、第１７の可能な実装方法において、QfとQtは、セル識別情報により判定される。
【００２５】
前記第1の特徴の前記第１７の可能な実装方法に関連し、第１８の可能な実装方法において、Qfは、Qf=mod(ID_cell,N)であり、Qtは、Qt=mod(ID_cell,M)であり、ここで、ID_cellは、前記セル識別情報である。
【００２６】
前記第1の特徴の前記第１８の可能な実装方法に関連し、第１９の可能な実装方法において、前記セル識別情報は、物理的セル識別情報である。
【００２７】
前記第1の特徴に関連し、前記第1の特徴の第２０の実装方法において、前記ユーザ装置は、前記1つまたは複数の制御信号により占有される前記物理リソースをグルーピングし、以下を具備する：前記ユーザ装置は、リソース番号と、1つまたは複数の制御信号により占有される物理リソースとの間の対応に従って、前記1つまたは複数の制御信号により占有される前記物理リソースをグルーピングし、リソース番号と、1つまたは複数の制御信号により占有される物理リソースの間の対応は、プリセットされるか、受信端からフィードバックされるか、又は、サードパーティにより提供される。
【００２８】
前記第1の特徴の第１２の実装方法に関し、前記第1の特徴の第２１の実装方法において、前記方法は、前記ユーザ装置が、リソース番号と1つまたは複数の制御信号により占有される物理リソースとの間の対応を受信端に送信するステップを具備する。
【００２９】
前記第1の特徴又は、前記第1の特徴の第２から第２１の可能な実装方法のいずれか１つに関連し、前記第1の特徴の第２２の実装方法において、ユーザ装置により指示信号を受信する前記ステップは、基地局により送信された指示信号を前記ユーザ装置により受信するステップを具備する。
【００３０】
第２の特徴によると、ユーザ装置が提供され、前記ユーザ装置は、指示信号を受信するように構成されている受信ユニットであって、前記指示信号は、1つまたは複数の制御信号、例えば、スケジューリング割り当て(SA:Scheduling Assignment)信号により物理リソースのリソース番号が占有されていることを示すために使用され、前記リソース番号は、前記物理リソースの時間情報及び周波数情報を具備する受信ユニットと、前記リソース番号に従って、対応する物理リソースを前記1つまたは複数の制御信号に割り当てるように構成されている割り当てユニットと、前記1つまたは複数の制御信号を送信するように構成されている送信ユニットと、を具備する。
【００３１】
前記第２の特徴に関連し、第１の可能な実装方法において、前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【００３２】
前記第２の特徴の前記第1の可能な実装方法に関連し、第２の可能な実装方法において、異なる物理リソースグループにおける同じリソース番号は、同じ時間シーケンス番号及び同じ周波数シーケンス番号に対応し、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００３３】
前記第２の特徴の前記第1の可能な実装方法に関連し、第３の可能な実装方法において、異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００３４】
前記第２の特徴の前記第1の可能な実装方法に関連し、第４の可能な実装方法において、異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００３５】
前記第２の特徴の前記第1の可能な実装方法に関連し、第５の実装方法において、異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００３６】
前記第２の特徴の前記第２から第５の可能な実装方法のいずれか一つに関連し、第６の実装方法において、Mは２以上の正の整数である、及び／又は、Nは２以上の正の整数である。
【００３７】
前記第２の特徴に関連し、第７の実装方法において、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００３８】
前記第２の特徴の前記第７の可能な実装方法に関連し、第８の実装方法において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【００３９】
前記第２の特徴の前記第７の可能な実装方法に関連し、第９の実装方法において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数である。
【００４０】
前記第２の特徴の前記第８又は第９の可能な実装方法に関連し、第１０の可能な実装方法において、Nは２以上の正の整数である。
【００４１】
前記第２の特徴の前記第３または第９の可能な実装方法に関連し、第１１の可能な実装方法において、Qfは、セル識別情報により判定される。
【００４２】
前記第２の特徴の前記第１１の可能な実装方法に関連し、第１２の可能な実装方法において、Qfは、Qf=mod(ID_cell,N)であり、ここで、ID_cellは、前記セル識別情報である。
【００４３】
前記第２の特徴の前記第１２の可能な実装方法に関連し、第１３の可能な実装方法において、前記セル識別情報は、物理的セル識別情報である。
【００４４】
前記第２の特徴の前記第４の可能な実装方法に関連し、第１４の可能な実装方法において、Qtは、セル識別情報により判定される。
【００４５】
前記第２の特徴の前記第１４の可能な実装方法に関連し、第１５の可能な実装方法において、Qtは、Qt=mod(ID_cell,M)、ここで、ID_cellは、前記セル識別情報である。
【００４６】
前記第２の特徴の前記第１５の可能な実装方法に関連し、第１６の可能な実装方法において、前記セル識別情報は、物理的セル識別情報である。
【００４７】
前記第２の特徴の前記第５の可能な実装方法に関連し、第１７の可能な実装方法において、QfとQtは、セル識別情報により判定される。
【００４８】
前記第２の特徴の前記第１７の可能な実装方法に関連し、第１８の可能な実装方法において、Qfは、Qf=mod(ID_cell,N)であり、及び、Qtは、Qt=mod(ID_cell,M)であり、ここで、ID_cellは、前記セル識別情報である。
【００４９】
前記第２の特徴の前記第１８の可能な実装方法に関連し、第１９の可能な実装方法において、前記セル識別情報は、物理的セル識別情報である。
【００５０】
前記第２の特徴に関連し、前記第２の特徴の第２０の実装方法において、前記ユーザ装置は、前記1つまたは複数の制御信号により占有される前記物理リソースを、リソース番号と、1つまたは複数の制御信号により占有される物理リソースとの対応に従って、グルーピングするように構成されているグルーピングユニットを具備し、リソース番号と、1つまたは複数の制御信号により占有される物理リソースとの間の対応は、プリセットされるか、受信端からフィードバックされるか、又は、サードパーティから提供される。
【００５１】
前記第２の特徴の前記第２０の実装方法に関連し、前記第２の特徴の第２１の実装方法において、前記第１の送信ユニットは、具体的には、リソース番号と、1つまたは複数の制御信号により占有される物理リソースとの間の対応を前記受信端に送信するように構成されている。
【００５２】
前記第２の特徴又は前記第２の特徴の前記第１から第２１のいずれか一つの実装方法に関連し、前記第２の特徴の第２２の実装方法において、前記受信ユニットは、具体的には、基地局により送信された指示信号を受信するように構成されている。
【００５３】
先述の技術的ソリューションに基づき、本発明の前記実施形態において、ユーザ装置は、指示信号を受信でき、前記指示信号は、1つまたは複数の制御信号により物理リソースのリソース番号が占有されていることを示すために使用され、前記リソース番号は、前記物理リソースの時間情報及び周波数情報を具備し、前記ユーザ装置は、前記リソース番号に従って、対応する物理リソースを前記1つまたは複数の制御信号に割り当て、前記ユーザ装置は、前記1つまたは複数の制御信号を送信する。したがって、制御信号を搬送する物理リソースが、正確に示されることができ、これにより、受信端における処理時間と電気的エネルギー消費量を節約し、ネットワークパフォーマンスを改善する。
【００５４】
本発明の前記実施形態において前記技術的ソリューションをより明確に説明するために、以下では簡単に本発明の前記実施形態を説明するために必要とされる添付の図面を紹介する。以下で説明される添付の図面は、単にいくつかの本発明の実施形態を示しており、当業者は、創作的な努力なしにこれらの添付の図面から他の図面を依然として得ることができることは、明らかである。
【図面の簡単な説明】
【００５５】
【図１】図１は、本発明の実施形態に従う、信号送信方法のフローチャートの略図である。
【図２】図２は、本発明の前記実施形態に従う前記信号送信方法において制御信号を搬送する物理リソースをグルーピングするステップの結果の概略図である。
【図３】図３は、本発明の前記実施形態に従う前記信号送信方法において制御信号を搬送する物理リソースをグルーピングするステップの結果の他の概略図である。
【図４】図４も、は、本発明の前記実施形態に従う前記信号送信方法において制御信号を搬送する物理リソースをグルーピングするステップの結果の他の概略図である。
【図５】も、は、本発明の前記実施形態に従う前記信号送信方法において制御信号を搬送する物理リソースをグルーピングするステップの結果の他の概略図である。
【図６】図６は、本発明の前記実施形態に従う前記信号送信方法において制御信号を搬送する物理リソースを示すステップの結果の概略図である。
【図７】図７は、本発明の前記実施形態に従う前記信号送信方法において制御信号を搬送する物理リソースを示すステップの結果の他の概略図である。
【図８】図８は、本発明の実施形態に従うユーザ装置の略ブロック図である。
【図９】図９は、本発明の他の実施形態に従うユーザ装置の略ブロック図である。
【発明を実施するための形態】
【００５６】
以下では、明確に及び完全に、本発明の前記実施形態における技術的ソリューションを本発明の実施形態における添付の図面と関連して説明する。説明される実施形態は、本発明の前記実施形態のいくつかであってすべてではないことは明らかである。創作的な努力無しに本発明の前記実施形態に基づいて当業者により得られるすべての他の実施形態は、前記本発明のその保護範囲内にあることになる。
【００５７】
本発明の前記実施形態の前記技術的ソリューションは、例えば、GSM(登録商標)(Global System of Mobile communication)システム、符号分割多元接続(CDMA:Code Division Multiple Access)システム、広帯域符号分割多元接続(WCDMA（登録商標）:Wideband Code Division Multiple Access)システム、汎用パケット無線システム(GPRS:General Packet Radio Service)、ロング・ターム・エボリューション(LTE:Long Term Evolution)システム、LTE周波数分割多重(FDD:Frequency Division Duplex)システム、LTE時分割多重(TDD:Time Division Duplex)、ユニバーサル移動電話システム(UMTS:Universal Mobile Telecommunication System)、又はワールドワイド・インターオペラビリティ・フォー・マイクロウェーブ・アクセス(WiMAX:Worldwide Interoperability for Microwave Access)通信システム等の種々の通信システムに適用可能である、と理解すべきである。
【００５８】
本発明の前記実施形態において、ユーザ装置(UE:User Equipment)は、移動局(MS:Mobile Station)、移動端末(Mobile Terminal)、携帯電話(Mobile Telephone)、ハンドセット(handset)、携帯型機器(portable equipment)、等を含むがこれらに限定されない、と理解すべきである。前記ユーザ装置は、無線アクセスネットワーク(RAN:Radio Access Network)を使用することにより、1つまたは複数のコアネットワークと通信しうる。例えば、前記ユーザ装置は、携帯電話(又は、「セルラー」電話とも呼ぶ)、又は無線通信機能とともに提供されるコンピュータであり得、前記ユーザ装置は、さらに、携帯型、ポケット型、ハンドヘルド、コンピュータ組込み型、又は、車載モバイル機器でありうる。
【００５９】
本発明の前記実施形態におけるユーザ装置及び第２ユーザ装置は、任意の限定を付すものではなく、単に説明を容易にするためであることも理解すべきである。
【００６０】
本発明の前記実施形態において、基地局は、GSM(登録商標)又はCDMAにおける基地局装置(BTS:Base Transceiver Station)であってよく、WCDMA（登録商標）におけるNodeB(NodeB)であってもよく、LTEシステム用無線基地局装置(eNB又はe-NodeB:evolved NodeB)であってもよく、D2D通信におけるユーザクラスタのクラスタヘッド(Cluster Head)であってもよいが、本発明の前記実施形態においてそれらに限定されない。
【００６１】
図１は、本発明の実施形態に従う、信号送信方法のフローチャートの略図である。図１示されているように、前記方法は、以下を含む。
【００６２】
110：  ユーザ装置は、指示信号を受信する。前記指示信号は、1つまたは複数の制御信号、例えば、スケジューリング割り当て(SA:Scheduling Assignment)信号により物理リソースのリソース番号が占有されていることを示すために使用され、前記リソース番号は、前記物理リソースの時間情報及び周波数情報を具備する。
【００６３】
具体的には、前記ユーザ装置は、基地局により送信された指示信号を受信できるが、本発明のこの実施形態において限定されない。例えば、前記ユーザ装置は、受信端のフィードバックに従って指示信号も受信することができ、事前設定に従って指示信号を受信してもよい。
【００６４】
120：  前記ユーザ装置は、前記リソース番号に従って、対応する物理リソースを前記１つまたは複数の制御信号に割り当てる。
【００６５】
具体的には、前記リソース番号は、1つまたは複数の物理リソースユニット、例えば、２，３，５、又は１０の物理リソースユニットを示すことができ、各前記物理リソースユニットは、時間シーケンス番号及び周波数シーケンス番号により一意的に識別されるが、本発明のこの実施形態において限定されない。
【００６６】
前記ユーザ装置は、多数の方法を使用することにより、前記対応する物理リソースを前記1つまたは複数の制御信号に割り当てうるが、本発明のこの実施形態において限定されないことは理解すべきである。
【００６７】
130：  前記ユーザ装置は、前記1つまたは複数の制御信号を送信する。
【００６８】
前記ユーザ装置は、前記1つまたは複数の制御信号を複数の方法を使用することに送信し得るとともに、本発明のこの実施形態において限定されないことは理解すべきである。
【００６９】
本発明のこの実施形態において、制御信号を搬送する物理リソースは、正確に示されることができ、したがって、受信端は、ブラインド検出の実行をする必要なく前記制御信号を受信でき、これにより、受信端における処理時間及びエネルギー消費量を節約する。
【００７０】
先述の説明は、本発明のこの実施形態における前記信号送信方法を図１を参照しユーザ装置の透視図から詳細に説明する
【００７１】
以下では、特定の例を参照して本発明のこの実施形態を詳細にさらに説明する。図１の例は、単に当業者による本発明のこの実施形態の理解を促進するためのものであり、具体的な値や、前記例における特定のシナリオにより本発明のこの実施形態を限定するものではないことに留意すべきである。当業者は、図１により与えられる例に従って種々の等価な修正や変更を行うことができるが、それらも本発明のこの実施形態の保護範囲内に入るものである。
【００７２】
図２から図５に関連し、以下では具体的に本発明のこの実施形態における前記信号送信方法を説明する。図２から図５は、本発明のこの実施形態に従う前記信号送信方法における制御信号を搬送する物理リソースをグルーピングするステップの結果のいくつかの概略図である。
【００７３】
本発明のこの実施形態に従う前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【００７４】
具体的には、前記リソース番号は、前記基地局、前記ユーザ装置、又は、サードパーティが、前記1つまたは複数の制御信号により占有される前記物理リソースをグルーピングした後に決定されるが、本発明のこの実施形態において限定されない。
【００７５】
具体的には、M 時間リソース、例えば、無線フレーム、サブフレーム、及び時間スロット、は、一つのグループに分類されうる。各時間リソースは、N 周波数リソース、例えば、物理リソースブロック(PRB:Physical Resource Block)及びサブキャリアをさらに含み、M及びNは、正の整数であるが、本発明のこの実施形態において限定されない。
【００７６】
前記グルーピングの後、前記物理リソースグループにおいて、プリセットグルーピング方法に従って判定される同じリソース番号は、４つの場合に分類されうる：同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。上述の場合を満たすグルーピング方法はすべて、本発明のこの実施形態の保護範囲内に入るものである。
【００７７】
本発明のこの実施形態によれば、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含んでいる。したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００７８】
具体的には、図２示されているように、Mは、５であり、前記時間シーケンス番号は、０から４である。Nは、１２であり、前記周波数シーケンス番号は、０から１１である。これらの時間リソース及び周波数リソースは、全部でM × N 60 リソース番号を取得するように、左から右の順、かつ、上から下の順で、番号付けされている。リソース番号がxである各物理リソースの時間シーケンス番号は、mod(x,M)であり、前記物理リソースの周波数シーケンス番号は、floor(x/M)である。すなわち、前記グルーピングの後、指示信号は、受信端が、時間シーケンス番号がmod(x,M)であり、かつ、周波数シーケンス番号がfloor(x/M)である前記物理リソース上で、前記制御信号を検出し取得できるようにリソース番号がxである前記物理リソースを使用し、制御信号を搬送するように指示しうる。
【００７９】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、前記制御信号を、対応する物理リソース上で検出し、取得できるように、制御信号を搬送する物理リソースのリソース番号を正確に示すことができ、これにより、前記受信端での処理時間及び電気的エネルギー消費量を節約する。
【００８０】
前述の実施形態において、異なる物理リソースグループにおける同じリソース番号は、同じ物理リソースに対応する。すなわち、異なる物理リソースグループにおける２つのリソース番号に対応する物理リソース、例えば、図２におけるリソース番号 1とリソース番号 21、は常に同じであり、周波数間隔も常に同じである。同様に、異なる物理リソースグループにおいて２つのリソース番号の時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて常に同じであり、干渉ランダム化が達成されることができない。
【００８１】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各前記物理リソースグループは、M*Nの物理リソースを含み、すなわち、M*Nのリソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００８２】
具体的には、図３に示されているように、物理リソースグループの前記シーケンス番号は、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされる。リソース番号がxである各物理リソースの時間シーケンス番号は、mod(x,M)であり、前記物理リソースの周波数シーケンス番号は、mod[floor(x/M)+P*Qf,N]である。すなわち、前記グルーピングの後、指示信号は、受信端が、時間シーケンス番号がmod(x,M)であり、周波数シーケンス番号がmod[floor(x/M)+P*Qf,N]である前記物理リソース上で、前記制御信号を検出し、取得できるように、リソース番号がxである前記物理リソースを使用して制御信号を搬送するように指示しうる。
【００８３】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００８４】
加えて、前述の実施形態において、異なる物理リソースグループにおける同じリソース番号は、異なる物理リソースに対応する。すなわち、異なる物理リソースグループにおける、２つのリソース番号に対応する物理リソースの周波数シーケンス番号、例えば、図３におけるリソース番号 1 とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて異なっており、周波数ドメイン干渉ランダム化が達成されることができない。
【００８５】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００８６】
具体的には、図４に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされる。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、前記グルーピングの後、指示信号は、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である、前記物理リソース上で、受信端が、前記データ信号を検出し、取得することができるように、リソース番号がxである前記物理リソースを使用して制御信号を搬送するように指示しうる。
【００８７】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００８８】
加えて、前述の実施形態において、異なる物理リソースグループにおける同じリソース番号は、異なる物理リソースに対応する。すなわち、異なる物理リソースグループにおいて、２つのリソース番号に対応する物理リソースの時間シーケンス番号、例えば、図４におけるリソース番号 1 とリソース番号 21、は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化が達成されることができない。
【００８９】
図３における前記実施形態は、周波数ドメイン干渉の問題を解消するが、時間ドメイン干渉はランダム化されることができないという問題は依然として存在しており、同様に、図４における前記実施形態は、時間ドメイン干渉の問題を解消するが、周波数ドメイン干渉はランダム化されることができないという問題は依然として存在し、したがって、システムパフォーマンスに依然として影響する。
【００９０】
図２において存在する問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００９１】
具体的には、図５に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1であり、Qfは、４である。これらの時間リソース及び周波数リソースは、番号付けされる。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、前記グルーピングの後、指示信号は、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で、受信端が、前記制御信号を検出し、取得することができるように、リソース番号がxである前記物理リソースを使用して制御信号を搬送するように指示しうる。
【００９２】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００９３】
加えて、前述の実施形態において、異なる物理リソースグループにおける同じリソース番号は、異なる物理リソースに対応する。すなわち、異なる物理リソースグループにおいて、時間シーケンス番号及び２つのリソース番号に対応する物理リソースの周波数シーケンス番号、例えば、図５におけるリソース番号 1とリソース番号 21、は、異なっている。この場合には、データが同じリソース番号を使用することにより送信される場合、時間シーケンス番号と、異なる物理リソースグループにおいて使用される物理リソースの周波数シーケンス番号は、異なっている。したがって、システムへの時間ドメイン干渉及び周波数ドメイン干渉は、異なる物理リソースグループにおいて異なっており、時間ドメイン干渉ランダム化及び周波数ドメイン干渉ランダム化が達成され得る。
【００９４】
同様に、他の実施形態において、Mは、2以上の正の整数であってよく、及び／又は、Nは、２以上の正の整数であってよい。
【００９５】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をよりよく反映しうる、と理解すべきである。
【００９６】
本発明のこの実施形態によると、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００９７】
具体的には、前記時間リソース番号は、1つまたは複数の時間シーケンス番号を含みうるが、本発明のこの実施形態において限定されない。
【００９８】
プリセット方法に従って判定された、異なる時間リソース番号の中で、又は、異なる時間シーケンス番号の中で、同じ周波数リソース番号は、同じ周波数シーケンス番号又は異なる周波数シーケンス番号に対応しうる、と理解すべきである。これら２つの場合に合致する方法は、本発明のこの実施形態の保護範囲内に入るものである。
【００９９】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【０１００】
図６は、本発明の他の実施形態に従う前記信号送信方法において制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)である。すなわち、指示信号は、受信端が、時間シーケンス番号がと指定されるとともに周波数シーケンス番号が、mod(x,N)である前記物理リソース上で、前記制御信号を検出し、取得することができるように、時間シーケンス番号が指定されるとともに周波数シーケンス番号が、mod(x,N)である、任意の物理リソースを使用し、制御信号を搬送するように指示しうる。
【０１０１】
したがって、本発明のこの実施形態において、制御信号を搬送する周波数シーケンス番号及び物理リソースの時間シーケンス番号は、受信端が、ブラインド検出などの複雑な動作を実行する必要なしに、対応する物理リソース上で、前記制御信号を検出し、取得することができるように、指示信号を使用することにより示すことができ、これにより、前記受信端における処理時間及び電気的エネルギー消費量を節約する。
【０１０２】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１０３】
図７は、本発明の他の実施形態に従う前記信号送信方法において制御信号を搬送する物理リソースを示すステップの結果の他の概略図である。具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、指示信号は、受信端が、前記時間シーケンス番号がPtであり、周波数シーケンス番号がmod(x+Pt*Qf,N)である物理リソース上で、前記データ信号を検出し、取得することができるように、時間シーケンス番号がPtであり、周波数シーケンス番号がmod(x+Pt*Qf,N)である物理リソースを使用して制御信号を搬送するように指示しうる。
【０１０４】
したがって、本発明のこの実施形態において、制御信号を搬送する周波数シーケンス番号及び物理リソースの時間シーケンス番号は、受信端が、ブラインド検出などの複雑な動作を実行する必要なしに、対応する物理リソース上で、前記制御信号を検出し、取得することができるように、指示信号を使用することにより示されうる。これにより、前記受信端における処理時間及び電気的エネルギー消費量を節約する。
【０１０５】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号に対応する周波数シーケンス番号は、異なる。例えば、図７における周波数リソース番号 1と周波数リソース番号 5。この場合には、周波数ドメイン干渉ランダム化が達成され得る。
【０１０６】
同様に、他の実施形態において、Qf及び／又はQtは、セル識別情報により判定され得、例えば、Qfは、Qf=mod(ID_cell,N)であり、及び／又は、Qtは、Qt=mod(ID_cell,M)であり、ここで、ID_cellは、前記セル識別情報である。
【０１０７】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１０８】
代わりに、他の実施形態において、前記セル識別情報は、物理的セル識別情報(PCI:Physical Cell identity)であってよい。
【０１０９】
LTE通信システムにおいて、前記物理的セル識別子を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１１０】
代わりに、他の実施形態において、前記リソース番号は、前記ユーザ装置が前記1つまたは複数の制御信号により占有される前記物理リソースをグルーピングした後に判定され、以下を含む。前記ユーザ装置は、前記グルーピングの結果に従って、前記リソース番号を判定し、前記グルーピングの結果は、前記サードパーティ又は前記受信端から取得され、すなわち、前記受信端又は前記サードパーティは、前記1つまたは複数の制御信号により占有される前記物理リソースをグルーピングする。
【０１１１】
代わりに、他の実施形態において、前記リソース番号は、前記ユーザ装置が前記1つまたは複数の制御信号により占有される前記物理リソースをグルーピングした後に判定され、以下を含む。前記ユーザ装置は、リソース番号と、1つまたは複数の制御信号により占有される物理リソースとの対応に従って、前記1つまたは複数の制御信号により占有される前記物理リソースをグルーピングし、そして、前記グルーピングの結果に従って、前記リソース番号を判定し、ここで、リソース番号と、1つまたは複数の制御信号により占有される物理リソースとの間の対応は、プリセットされるか、前記受信端からフィードバックされるか、又は前記サードパーティにより提供される。
【０１１２】
代わりに、他の実施形態において、前記方法は、前記ユーザ装置が、リソース番号と、1つまたは複数の制御信号により占有される物理リソースとの間の対応を前記受信端に送信するステップを具備する。
【０１１３】
任意で、ユーザ装置が指示信号を受信することは、以下を含む：前記ユーザ装置は、前記基地局により送信される指示信号を受信する。
【０１１４】
図８は、本発明の実施形態に従うユーザ装置の略ブロック図である。図８に示されているように、ユーザ装置800は、受信ユニット810と、割り当てユニット820と、送信ユニット830と、を具備する。
【０１１５】
具体的には、前記受信ユニット810は、指示信号を受信するように構成されており、前記指示信号は、1つまたは複数の制御信号により物理リソースのリソース番号が占有されていることを示すために使用され、例えば、スケジューリング割り当て(SA:Scheduling Assignment)信号、前記リソース番号は、前記物理リソースの時間情報及び周波数情報を具備し、前記割り当てユニット820は、前記リソース番号に従って、対応する物理リソースを前記1つまたは複数の制御信号に割り当てるように構成されており、前記送信ユニット830は、前記1つまたは複数の制御信号を送信するように構成されている。
【０１１６】
本発明のこの実施形態において提供される前記ユーザ装置は、制御信号を搬送する物理リソースを正確に示すことができ、したがって、受信端は、ブラインド検出を実行する必要なく前記制御信号を受信可能であり、これにより、前記受信端における処理時間及び電気的エネルギー消費量を節約する。
【０１１７】
図８における前記ユーザ装置は、図１における信号送信方法に対応し、したがって、本発明のこの実施形態における前記ユーザ装置は、図２から図７を参照して詳細に説明され得る。図２から図５は、本発明の実施形態に従う前記信号送信方法における制御信号を搬送する物理リソースのグルーピングするステップの結果のいくつかの概略図であり、図６及び図７は、本発明の他の実施形態に従う前記信号送信方法における制御信号を搬送する物理リソースを示すステップの結果の概略図である。
【０１１８】
本発明のこの実施形態よると、前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【０１１９】
具体的には、前記リソース番号は、基地局、前記ユーザ装置、又は、サードパーティが前記1つまたは複数の制御信号により占有される前記物理リソースをグルーピングした後に判定されるが、本発明のこの実施形態において限定されない。
【０１２０】
具体的には、M 時間リソース、例えば、無線フレーム、サブフレーム、及び時間スロットは、１つのグループに分類され得る。各時間リソースは、N 周波数リソース、例えば、物理リソースブロック(PRB:Physical Resource Block)と、サブキャリアをさらに含み、M及びNは、正の整数であるが、本発明のこの実施形態において限定されない。
【０１２１】
前記グルーピングの後、前記物理リソースグループにおいて、プリセットグルーピング方法に従って判定された同じリソース番号は、４つの場合に分類されうる:同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。上述の場合を満たすグルーピング方法はすべて、本発明のこの実施形態の保護範囲内に入るものである。
【０１２２】
本発明のこの実施形態によると、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【０１２３】
具体的には、図２示されているように、Mは、５であり、前記時間シーケンス番号は、０から４である。Nは、１２であり、前記周波数シーケンス番号は、０から１１である。これらの時間リソース及び周波数リソースは、全部で M × N 60 リソース番号が取得されるように、左から右の順、かつ、上から下の順で、番号付けされている。リソース番号がxである各物理リソースの時間シーケンス番号は、mod(x,M)であり、前記物理リソースの周波数シーケンス番号は、floor(x/M)である。すなわち、前記グルーピングの後、受信端が、時間シーケンス番号がmod(x,M)であり、かつ、周波数シーケンス番号がfloor(x/M)である前記物理リソース上で、前記制御信号を検出し、取得することができるように、指示信号は、リソース番号がxである前記物理リソースを使用して制御信号を搬送するように指示しうる。
【０１２４】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１２５】
前述の実施形態において、異なる物理リソースグループにおける同じリソース番号は、同じ物理リソースに対応する。すなわち、異なる物理リソースグループにおいて、２つのリソース番号に対応する物理リソース、例えば、図２におけるリソース番号 1とリソース番号 21、は、常に同じであり、周波数間隔は常に同じである。同様に、異なる物理リソースグループにおいて、２つのリソース番号時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて、常に同じであり、干渉ランダム化は、達成されることができない。
【０１２６】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【０１２７】
具体的には、図３に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされている。リソース番号がxである各物理リソースの時間シーケンス番号は、mod(x,M)であり、前記物理リソースの周波数シーケンス番号は、mod[floor(x/M)+P*Qf,N]である。すなわち、受信端が、時間シーケンス番号がmod(x,M)であり、周波数シーケンス番号がmod[floor(x/M)+P*Qf,N]である前記物理リソース上で、前記制御信号を検出し、取得することができるように、前記グルーピングの後、指示信号は、リソース番号がxである前記物理リソースを使用して制御信号を搬送するように指示しうる。
【０１２８】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１２９】
加えて、前述の実施形態において、異なる物理リソースグループにおける同じリソース番号は、異なる物理リソースに対応する。すなわち、異なる物理リソースグループにおいて、２つのリソース番号に対応する物理リソースの周波数シーケンス番号、例えば、図３におけるリソース番号 1とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて、異なっており、周波数ドメイン干渉ランダム化が達成され得る。
【０１３０】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【０１３１】
具体的には、図４に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされている。時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である物理リソース上で、受信端が、制御信号を検出し、取得することができるように、リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、前記グルーピングの後、指示信号は、リソース番号がxである前記物理リソースを使用して制御信号を搬送するように指示しうる。
【０１３２】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１３３】
加えて、前述の実施形態において、異なる物理リソースグループにおける同じリソース番号は、異なる物理リソースに対応する。すなわち、異なる物理リソースグループにおいて、２つのリソース番号に対応する物理リソースの時間シーケンス番号、例えば、図４におけるリソース番号 21、は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化が達成され得る。
【０１３４】
図３の前記実施形態は、前記周波数ドメイン干渉の問題を解消するが、前記時間ドメイン干渉がランダム化され得ないという問題は依然として存在し、同様に、図４の前記実施形態は、前記時間ドメイン干渉の問題を解消するが、前記周波数ドメイン干渉がランダム化され得ないという問題は依然として存在し、したがって、システムパフォーマンスは依然として影響を受けている。
【０１３５】
図２において存在する前記問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【０１３６】
具体的には、図５に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1であり、Qfは、４である、これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で、受信端が、前記データ信号を検出し、取得することができるように、前記グルーピングの後、指示信号は、リソース番号がxである前記物理リソースを使用して制御信号を搬送するように指示しうる。
【０１３７】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１３８】
加えて、前述の実施形態において、異なる物理リソースグループにおける同じリソース番号は、異なる物理リソースに対応する。すなわち、異なる物理リソースグループにおいて、時間シーケンス番号及び２つのリソース番号に対応する物理リソースの周波数シーケンス番号、例えば、図５におけるリソース番号 1とリソース番号 21、は、異なっている。この場合には、データが同じリソース番号を使用することにより送信される場合、時間シーケンス番号と異なる物理リソースグループにおいて使用される物理リソースの周波数シーケンス番号は、異なっている。したがって、時間ドメイン干渉及びシステムへの周波数ドメイン干渉は、異なる物理リソースグループにおいて異なっており、時間ドメイン干渉ランダム化及び周波数ドメイン干渉ランダム化が達成され得る。
【０１３９】
同様に、他の実施形態において、Mは、2以上の正の整数であってよく、及び／又は、Nは、２以上の正の整数であってよい。
【０１４０】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をよりよく反映しうる、と理解すべきである。
【０１４１】
本発明のこの実施形態によれば、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【０１４２】
具体的には、前記時間リソース番号は、1つまたは複数の時間シーケンス番号を具備しうるが、本発明のこの実施形態において限定されない。
【０１４３】
プリセット方法に従って判定された、異なる時間リソース番号の中で、又は異なる時間シーケンス番号の中で、同じ周波数リソース番号は、同じ周波数シーケンス番号又は異なる周波数シーケンス番号に対応しうる、と理解すべきである。これら２つの場合に合致する方法は、本発明のこの実施形態の保護範囲内に入るものである。
【０１４４】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示している。
【０１４５】
図６は、本発明の他の実施形態に従う信号送信方法における制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)であり、すなわち、受信端が、時間シーケンス番号が指定されるとともに周波数シーケンス番号がmod(x,N)である前記物理リソース上で、前記制御信号を検出し、取得することができるように、指示信号は、時間シーケンス番号が指定されるとともに周波数シーケンス番号がmod(x,N)である任意の物理リソースを使用し、制御信号を搬送するように指示しうる。
【０１４６】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１４７】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１４８】
具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、受信端が、前記時間シーケンス番号がPtであり、周波数シーケンス番号がmod(x+Pt*Qf,N)である物理リソース上で、前記制御信号を検出し、取得することができるように、指示信号は、時間シーケンス番号がPtであり、周波数シーケンス番号がmod(x+Pt*Qf,N)である物理リソースを使用して制御信号を搬送するように指示しうる。
【０１４９】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１５０】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号に対応する周波数シーケンス番号は、異なっており、例えば、図７における周波数リソース番号 1と周波数リソース番号 5である。この場合には、周波数ドメイン干渉ランダム化は、達成され得る。
【０１５１】
同様に、他の実施形態において、Qf及び／又はQtは、セル識別情報により判定され、例えば、Qfは、Qf=mod(ID_cell,N)であり、及び／又は、Qtは、Qt=mod(ID_cell,N)であり、ここで、ID_cellは、前記セル識別情報である。
【０１５２】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１５３】
代わりに、他の実施形態において、前記セル識別情報は、物理的セル識別情報(PCI:Physical Cell identity)であって良い。
【０１５４】
LTE通信システムにおいて、前記物理的セル識別子を使用することにより、前記周波数ホッピングステップ及び／又は前記タイミングホッピングステップを判定すし、セル間干渉ランダム化が達成され得、これにより、前記受信端のセル間干渉の抑制又は相殺を促す、と理解すべきである。
【０１５５】
代わりに、他の実施形態において、前記リソース番号は、前記ユーザ装置が前記1つまたは複数の制御信号により占有される前記物理リソースをグルーピングした後に判定され、以下を含む：前記ユーザ装置は、前記グルーピングの結果に従って、前記リソース番号を判定し、前記グルーピングの結果は、前記サードパーティ、又は前記受信端から取得され、すなわち、前記受信端又は前記サードパーティは、前記1つまたは複数の制御信号により占有される前記物理リソースをグルーピングする。
【０１５６】
代わりに、他の実施形態において、前記ユーザ装置は、リソース番号と、1つまたは複数の制御信号により占有される物理リソースとの対応に従って、前記1つまたは複数の制御信号により占有される前記物理リソースをグルーピングし、前記グルーピングの結果に従って、前記リソース番号をその後判定するように構成されているグルーピングユニットを具備し、リソース番号と、1つまたは複数の制御信号により占有される物理リソースとの間の対応は、プリセットさるか、前記受信端からフィードバックされるか、又は、前記サードパーティにより提供される。
【０１５７】
代わりに、他の実施形態において、前記第１の送信ユニットは、具体的には、リソース番号と、1つまたは複数の制御信号により占有される物理リソースとの間の対応を前記受信端に送信するように構成されている。
【０１５８】
任意で、前記受信ユニットは、具体的には、前記基地局により送信される指示信号を受信するように構成されている。
【０１５９】
図９は、本発明の他の実施形態に従うユーザ装置の略ブロック図である。図９に示されているように、ユーザ装置900は、受信器910と、プロセッサ920と、送信器930とを具備する。前記受信器910は、指示信号を受信するように構成されており、前記指示信号は、1つまたは複数の制御信号により物理リソースのリソース番号が占有されていることを示すために使用され、例えば、スケジューリング割り当て(SA:Scheduling Assignment)信号であり、前記リソース番号は、前記物理リソースの時間情報及び周波数情報を含んでいる。
【０１６０】
前記プロセッサ920は、前記リソース番号に従って、対応する物理リソースを前記1つまたは複数の制御信号に割り当てるように構成されている。
【０１６１】
前記送信器930は、前記1つまたは複数の制御信号を送信するようにさらに構成されている。
【０１６２】
本発明のこの実施形態において提供される前記ユーザ装置は、制御信号を搬送する物理リソースを正確に示すことができ、したがって、受信端は、ブラインド検出を実行する必要なく前記制御信号を受信可能であり、これにより、前記受信端における処理時間及び電気的エネルギー消費量を節約する。
【０１６３】
前記ユーザ装置900は、メモリを備えていてもよく、前記メモリは、読み出し専用メモリ及びとランダム・アクセス・メモリを含み得、前記プロセッサ920に命令及びデータを提供する。前記メモリの一部は、不揮発性ランダム・アクセス・メモリをさらに含んでもよい。例えば、前記メモリは、デバイス形式に関する情報を更に格納してもよい。
【０１６４】
先述の本発明の実施形態における前記方法は、前記プロセッサ920に適用でき、又は前記プロセッサ920により実施され得る。前記プロセッサ920は、信号処理能力を備えた集積回路チップであり得る。実施処理において、先述の方法におけるステップは、前記プロセッサ920内のハードウェアの集積論理回路によって、又は、ソフトウェアの形式における命令によって、実行され得る。前記プロセッサ920は、前記方法、ステップ、及び本発明の実施形態において開示された論理ブロック図を実装又は実行し得る、汎用プロセッサ、デジタル信号プロセッサ(DSP:Digital Signal Processor)、特定用途向け集積回路(ASIC:Application Specific Integrated Circuit)、フィールドプログラマブル・ゲートアレイ(FPGA:Field Programmable Gate Array)又は他のプログラマブル論理コンポーネント、個別のゲート又はトランジスタ論理コンポーネント、又は個別のハードウェアコンポーネントでありうる。前記汎用プロセッサは、マイクロプロセッサであり得、又は他の任意の従来のプロセッサなどであってもよい。本発明の前記実施形態を参照して開示されている前記方法のステップは、ハードウェア復号プロセッサを使用して直接実行され、履行され得るか、又は、復号プロセッサにおいてハードウェアモジュールとソフトウェアモジュールを組み合わせることにより、実行され、履行されうる。ソフトウェアモジュールは、従来技術において完成された、ランダム・アクセス・メモリ(RAM:Random Access Memory)、フラッシュメモリ、読み出し専用メモリ(ROM:Read-Only Memory)、プログラマブル読み出し専用メモリ、電気的消去可能プログラマブルメモリ、又はレジスタなどの格納媒体に配置されて良い。前記格納媒体は前記メモリに内に配置される。前記プロセッサ920は、前記めもりから情報を読み出し、前記ハードウェアとともに、前述の方法のステップを履行する。繰り返しを避けるために、ここでは再び説明しない。
【０１６５】
図９における前記ユーザ装置は、図１の前記信号送信方法に対応し、したがって、本発明のこの実施形態における前記ユーザ装置は、図２から図７を参照し詳細に説明され得る。図２から図５は、本発明の実施形態従う前記信号送信方法における制御信号を搬送する物理リソースをグルーピングするステップの結果のいくつかの概略図であり、図６及び図７は、本発明の他の実施形態に従う前記信号送信方法における制御信号を搬送する物理リソースを示すステップの結果の概略図である。
【０１６６】
本発明のこの実施形態によれば、前記リソース番号は、前記物理リソースがグルーピングされている前記1つまたは複数の制御信号により占有された後に判定され、前記時間リソース情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【０１６７】
具体的には、前記リソース番号は、基地局、前記ユーザ装置、又はサードパーティが、前記1つまたは複数の制御信号により占有される前記物理リソースをグルーピングした後に判定されるが、本発明のこの実施形態において限定されない。
【０１６８】
具体的には、M 時間リソース、例えば、無線フレーム、サブフレーム、及び時間スロット、は、１つのグループに分類され得る。各時間リソースは、N 周波数リソース、例えば、 物理リソースブロック(PRB:Physical Resource Block)及びサブキャリアをさらに含み、M及びNは、正の整数であるが、本発明のこの実施形態において限定されない。
【０１６９】
前記グルーピングの後、前記物理リソースグループにおいて、プリセットグルーピング方法に従って判定される同じリソース番号は、４つの場合に分類されうる:同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。前述の４つの場合に合致するグルーピング方法は、すべて本発明のこの実施形態の保護範囲内に入るものである。
【０１７０】
本発明のこの実施形態によれば、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,N)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【０１７１】
具体的には、図２示されているように、Mは、５であり、前記時間シーケンス番号は、０から４である。Nは、１２であり、前記周波数シーケンス番号は、０から１１である。これらの時間リソース及び周波数リソースは、全部でM × N 60 リソース番号を取得できるように、左から右の順、かつ、上から下の順で、番号付けされている。リソース番号がxである各物理リソースの時間シーケンス番号は、mod(x,N)であり、前記物理リソースの周波数シーケンス番号は、floor(x/M)である。すなわち、受信端が、時間シーケンス番号がmod(x,N)であり、周波数シーケンス番号が、floor(x/M)である前記物理リソース上で前記制御信号を検出し、取得することができるように、前記グルーピングの後、指示信号は、リソース番号がxである前記物理リソースを使用して制御信号を搬送するように指示しうる。
【０１７２】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１７３】
前述の実施形態において、異なる物理リソースグループにおける同じリソース番号は、同じ物理リソースに対応する。すなわち、異なる物理リソースグループにおいて、２つのリソース番号に対応する物理リソース、例えば、図２におけるリソース番号 1とリソース番号 21、は、常に同じであり、周波数間隔は常に同じである。同様に、異なる物理リソースグループにおいて、２つのリソース番号時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて、常に同じであり、干渉ランダム化は、達成されることができない。
【０１７４】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【０１７５】
具体的には、図３に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされている。リソース番号がxである各物理リソースの時間シーケンス番号は、mod(x,M)であり、前記物理リソースの周波数シーケンス番号は、mod[floor(x/M)+P*Qf,N]である。すなわち、受信端が、時間シーケンス番号がmod(x,M)であり、周波数シーケンス番号がmod[floor(x/M)+P*Qf,N]である前記物理リソース上で前記制御信号を検出し、取得することができるように、前記グルーピングの後、指示信号は、リソース番号がxである前記物理リソースを使用して制御信号を搬送するように指示しうる。
【０１７６】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１７７】
加えて、前述の実施形態において、異なる物理リソースグループにおける同じリソース番号は、異なる物理リソースに対応する。すなわち、異なる物理リソースグループにおいて、２つのリソース番号に対応する物理リソースの周波数シーケンス番号、例えば、図３におけるリソース番号 1とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて、異なっており、周波数ドメイン干渉ランダム化が達成され得る。
【０１７８】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【０１７９】
具体的には、図４に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、受信端が、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である前記物理リソース上で前記制御信号を検出し、取得することができるように、前記グルーピングの後、指示信号は、リソース番号がxである前記物理リソースを使用して制御信号を搬送するように指示しうる。
【０１８０】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１８１】
加えて、前述の実施形態において、異なる物理リソースグループにおける同じリソース番号は、異なる物理リソースに対応する。すなわち、異なる物理リソースグループにおいて、２つのリソース番号に対応する物理リソースの時間シーケンス番号、例えば、図４におけるリソース番号 1とリソース番号 21は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化は達成され得る。
【０１８２】
図３における前記実施形態は、前記周波数ドメイン干渉の問題を解消するが、時間ドメイン干渉がランダム化されることができないという問題は依然として存在し、同様に、図４における前記実施形態は、前記時間ドメイン干渉の問題を解消するが、前記周波数ドメイン干渉がランダム化されることができないという問題が依然として存在し、したがって、システムパフォーマンスに依然として影響する。
【０１８３】
図２において存在する問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【０１８４】
具体的には、図５に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qtは、1であり、Qfは、４である。これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、受信端が、時間シーケンス番号が
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で前記データ信号を検出し、取得することができるように、前記グルーピングの後、指示信号は、リソース番号がxである前記物理リソースを使用して制御信号を搬送するように指示しうる。
【０１８５】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１８６】
加えて、前述の実施形態において、異なる物理リソースグループにおける同じリソース番号は、異なる物理リソースに対応する。すなわち、異なる物理リソースグループにおいて、時間シーケンス番号及び２つのリソース番号に対応する物理リソースの周波数シーケンス番号、例えば、図５におけるリソース番号 1とリソース番号 21、は、異なっている。この場合には、データが同じリソース番号を使用することにより送信される場合、時間シーケンス番号と、異なる物理リソースグループにおいて使用される物理リソースの周波数シーケンス番号は、異なっている。したがって、時間ドメイン干渉及びシステムへの周波数ドメイン干渉は、異なる物理リソースグループにおいて異なっており、時間ドメイン干渉ランダム化及び周波数ドメイン干渉ランダム化は達成され得る。
【０１８７】
同様に、他の実施形態において、Mは、2以上の正の整数であってよく、及び／又はNは、２以上の正の整数であってよい。
【０１８８】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をより反映し得る、と理解すべきである。
【０１８９】
本発明のこの実施形態によれば、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【０１９０】
具体的には、前記時間リソース番号は、1つまたは複数の時間シーケンス番号を含み得るが、本発明のこの実施形態において限定されない。
【０１９１】
プリセット方法に従って判定された、異なる時間リソース番号の中で、又は異なる時間シーケンス番号の中で、同じ周波数リソース番号は、同じ周波数シーケンス番号又は異なる周波数シーケンス番号に対応し得る、と理解すべきである。これら２つの場合に合致する方法は、本発明のこの実施形態の保護範囲内に入るものである。
【０１９２】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示している。
【０１９３】
図６は、本発明の他の実施形態に従う信号送信方法における制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)である。すなわち、受信端が、時間シーケンス番号が指定され、周波数シーケンス番号が、mod(x,N)である前記物理リソース上で前記制御信号を検出し、取得することができるように、指示信号は、時間シーケンス番号が指定され、周波数シーケンス番号が、mod(x,N)である任意の物理リソースを使用して制御信号を搬送するように指示しうる。
【０１９４】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１９５】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１９６】
具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、受信端が、前記時間シーケンス番号がPtであり、周波数シーケンス番号がmod(x+Pt*Qf,N)である物理リソース上で前記制御信号を検出し、取得することができるように、指示信号は、時間シーケンス番号がPtであり、周波数シーケンス番号がmod(x+Pt*Qf,N)である物理リソースを使用して制御信号を搬送するように指示しうる。
【０１９７】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１９８】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号に対応する周波数シーケンス番号は異なっており、例えば、図７における周波数リソース番号 1と周波数リソース番号 5である。この場合には、周波数ドメイン干渉ランダム化は、達成され得る。
【０１９９】
同様に、他の実施形態において、Qf及び／又はQtは、セル識別情報により判定され、例えば、Qfは、Qf=mod(ID_cell,N)であり、及び／又はQtは、Qt=(ID_cell, M)であり、ここで、ID_cellは、前記セル識別情報である。
【０２００】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０２０１】
代わりに、他の実施形態において、前記セル識別情報は、物理的セル識別情報(PCI:Physical Cell identity)であってもよい。
【０２０２】
LTE通信システムにおいて、前記物理的セル識別子を使用することにより、前記周波数ホッピングステップ、及び／又は、前記タイミングホッピングステップを判定し、セル間干渉ランダム化が達成され得、これにより、前記受信端のセル間干渉の抑制又は相殺を促す、と理解すべきである。
【０２０３】
代わりに、他の実施形態において、前記リソース番号は、前記ユーザ装置が前記1つまたは複数の制御信号により占有される前記物理リソースをグルーピングした後に判定され、以下を含む：前記ユーザ装置は、前記グルーピングの結果に従って、前記リソース番号を判定し、前記グルーピングの結果は、前記サードパーティ又は前記受信端から取得され、すなわち、前記受信端又は前記サードパーティは、前記1つまたは複数の制御信号により占有される前記物理リソースをグルーピングする。
【０２０４】
代わりに、他の実施形態において、前記プロセッサ920は、具体的には、リソース番号と、1つまたは複数の制御信号により占有される物理リソースとの対応に従って、前記1つまたは複数の制御信号により占有される前記物理リソースをグルーピングし、そして、前記グルーピングの結果に従って、前記リソース番号を判定するように構成されており、ここで、リソース番号と、1つまたは複数の制御信号により占有される物理リソースとの間の対応は、プリセットされるか、前記受信端からフィードバクされるか、又は、前記サードパーティにより提供される。
【０２０５】
代わりに、他の実施形態において、前記送信器930は、具体的には、リソース番号と、1つまたは複数の制御信号により占有される物理リソースとの間の対応を前記受信端に送信するように構成されている。
【０２０６】
任意で、前記受信器910は、具体的には、前記基地局により送信される指示信号を受信するように構成されている。
【０２０７】
図９において示されている前記ユーザ装置は、図１における方法の実施形態においてユーザ装置により履行される全ての処理を実施できることに留意すべきである。前記ユーザ装置900の他の機能及び操作については、図１における前記方法の実施形態における前記ユーザ装置を含む処理を参照する。繰り返しを避けるために、ここでは再び説明しない。
【０２０８】
本明細書における用語「及び／又は」は、説明されている関連するオブジェクトの単なる関連関係を説明しており、存在し得る３つの関係を意味している。例えば、「A及び／又はB」は、以下の３つの場合を意味し得る：Aのみ存在、AとBの双方が存在、そしてBのみ存在。加えて、本明細書において文字「／」は、通常関連するオブジェクト間の「又は(or)」関係を示している。
【０２０９】
前述の処理のシーケンス番号は、本発明の種々の実施形態における実行シーケンスを意味するものではない、と理解すべきである。前記処理の実行シーケンスは、前記処理の機能及び内部ロジックに従って決定されるべきであり、本発明の前記実施形態の実施処理を限定するものであると解釈すべきではない。
【０２１０】
この明細書において開示されている前記実施形態において説明されている例の組み合わせ、ユニット及びアルゴリズムステップは、電子工学ハードウェア、又は、コンピュータソフトウェア及び電子工学ハードウェアの組み合わせにより実施され得ることに、当業者は気づき得る。前記機能がハードウェア又はソフトウェアにより実行されるかどうかは、特定のアプリケーション及び前記技術的ソリューションの設計における拘束条件に基づく。当業者は、各特定のアプリケーションのために説明された機能を実施するために異なる方法を使用し得るが、実装が前記本発明の範囲を超えていると考えるべきではない。
【０２１１】
前述のシステム、装置、及びユニットの詳細な作業工程については、対応する前述の方法の実施形態における処理を参照し当業者によって明らかに理解することができ、便利で簡単な説明の目的のために詳細はここでは再び説明されない。
【０２１２】
本明細書において提供されるいくつかの実施形態において、開示された前記システム、装置、及び方法は、他の方法においても実施可能である、と理解すべきである。例えば、開示された前記装置の実施形態は、単に例示である。例えば、前記ユニット区分は、単に論理機能区分であり、実際の実装において他の区分であってもよい。例えば、複数のユニット又はコンポーネントは、他のシステムに組み合わせ、又は統合されてもよく、又は、いくつかの特徴は、無視又は実行されなくてもよい。加えて、表示された又は議論された相互結合又は直接結合又は通信接続は、いくつかのインターフェースを通じて実装されてよい。装置又はユニット間の間接的な接続又は通信接続は、電気的、機械的、又は他の形式で実装され得る。
【０２１３】
別々の部分として説明されたユニットは、物理的に別個であっても、そうでなくてもよく、ユニットとして表示された部分は、物理的なユニットであっても、そうでなくてもよく、１つの位置に配置され得、又は複数のネットワークユニット上に分散されてもよい。いくつか又はすべてのユニットは、前記実施形態のソリューションの目的を達成するための実際の必要性に従って選択され得る。
【０２１４】
加えて、本発明の前記実施形態における機能ユニットは、１つの処理ユニットに統合してよく、又は、各ユニットは、物理的に単体で存在してもよく、又は、２以上のユニットが１つのユニットに統合されてもよい。
【０２１５】
前記機能が、ソフトウェア機能ユニットの形式において実装され、独立した製品として販売され又は使用される場合、前記機能は、コンピュータ読み取り可能な記録媒体に格納され得る。そのような理解に基づき、本質的に本発明の前記技術的ソリューション、又は従来技術に寄与する部分、又は前記技術的ソリューションのいくつかは、ソフトウェア製品の形式において実施され得る。前記ソフトウェア製品は、格納媒体内に格納され、コンピュータデバイス(パーソナルコンピュータ、サーバ、又はネットワークデバイスであり得る)に、本発明の前記実施形態において説明された前記方法のステップの全て又はいくつかを実行するように指示するためのいくつかの命令を備えている。先述の格納媒体は、USBフラッシュドライブ、リムーバブルハードディスク、読み出し専用メモリ(ROM：Read-Only Memory)、ランダム・アクセス・メモリ(RAM：Random Access Memory)、磁気ディスク、又は光学ディスクなどといったプログラムコードを格納できる任意の媒体を含む。
【０２１６】
上記の説明は本発明の例示的な特定の実施形態にすぎず、本発明の保護範囲を限定するものではない。前記本発明において開示された技術的範囲内で当業者により考え出されたいかなる変形または置換も、本発明の保護範囲内に入るものとする。したがって、本発明の保護範囲は、特許請求の範囲の保護範囲に従うものとする。
【符号の説明】
【０２１７】
８１０  受信ユニット
８２０  組込みユニット
８３０  送信ユニット
９１０  受信器
９２０  プロセッサ
９３０  送信器
【図１】
2016529784.tif 000003
【図２】
2016529784.tif 000004
【図３】
2016529784.tif 000005
【図４】
2016529784.tif 000006
【図５】
2016529784.tif 000007
【図６】
2016529784.tif 000008
【図７】
2016529784.tif 000009
【図８】
2016529784.tif 000010
【図９】
2016529784.tif 000011
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
信号送信方法であって、
ユーザ装置が、指示信号を受信するステップであって、前記指示信号は、1つまたは複数の制御信号により物理リソースのリソース番号が占有されていることを示すために使用され、前記リソース番号は、前記物理リソースの時間情報及び周波数情報を具備するステップと、
前記ユーザ装置が、前記リソース番号に従って、対応する物理リソースを前記1つまたは複数の制御信号に割り当てるステップと、
前記ユーザ装置が、前記1つまたは複数の制御信号を送信するステップと、
を具備することを特徴とする信号送信方法。
【請求項２】
前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、
異なる物理リソースグループにおける同じリソース番号は、同じ時間シーケンス番号及び同じ周波数シーケンス番号に対応し、又は、
異なる物理リソースグループにおける同じリソース番号は、同じ時間シーケンス番号及び異なる周波数シーケンス番号に対応し、又は、
異なる物理リソースグループにおける同じリソース番号は、異なる時間シーケンス番号及び同じ周波数シーケンス番号に対応し、又は、
異なる物理リソースグループにおける同じリソース番号は、異なる時間シーケンス番号及び異なる周波数シーケンス番号に対応することを特徴とする請求項１に記載の方法。
【請求項３】
異なる物理リソースグループにおける同じリソース番号が、同じ時間シーケンス番号及び同じ周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、floor(x/M)であり、
mod()は、モジュロ関数であり、floor()は、床関数であり、xは、ゼロ又は正の整数であり、M及びNは、正の整数であることを特徴とする請求項２に記載の方法。
【請求項４】
異なる物理リソースグループにおける同じリソース番号が、同じ時間シーケンス番号及び異なる周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、mod(x,M)であり、前記物理リソースの周波数シーケンス番号は、mod[floor(x/M)+P*Qf,N]であり、 
mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数であることを特徴とする請求項２に記載の方法。
【請求項５】
異なる物理リソースグループにおける同じリソース番号が、異なる時間シーケンス番号及び同じ周波数シーケンス番号に対応する場合、前記物理リソースグループのそれぞれは、Mの時間リソースを具備し、
前記時間リソースのそれぞれは、Nの周波数リソースを具備し、
したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、
mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数であることを特徴とする請求項２に記載の方法。
【請求項６】
異なる物理リソースグループにおける同じリソース番号が、異なる時間シーケンス番号及び異なる周波数シーケンス番号に対応する場合、前記物理リソースグループのそれぞれは、M時間リソースを具備し、
前記時間リソースのそれぞれは、N周波数リソースを具備し、
したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、
mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数であることを特徴とする請求項２に記載の方法。
【請求項７】
前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応することを特徴とする請求項１に記載の方法。
【請求項８】
異なる時間リソース番号の中で、同じ周波数リソース番号が、同じ周波数シーケンス番号に対応する場合、周波数リソース番号がｘである物理リソースの周波数シーケンス番号は、mod(x,N)であり、
mod()は、モジュロ関数であり、xは、ゼロ又は正の整数であり、Nは、正の整数であり、それぞれの時間シーケンス番号に対応する周波数リソース番号の数を示すことを特徴とする請求項７に記載の方法。
【請求項９】
異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、
mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数であることを特徴とする請求項７に記載の方法。
【請求項１０】
Qf及び／又はQtは、セル識別情報により判定されることを特徴とする請求項１から９のいずれか一項に記載の方法。
【請求項１１】
Qfは、Qf=mod(ID_cell,N)であり、及び／又は、Qtは、Qt=mod(ID_cell,M)であり、ID_cellは、前記セル識別情報であることを特徴とする請求項１０に記載の方法。
【請求項１２】
前記セル識別情報は、物理的セル識別情報であることを特徴とする請求項１１に記載の方法。
【請求項１３】
Mは２以上の正の整数であり、及び／又は、Nは２以上の正の整数であることを特徴とする請求項１から９のいずれか一項に記載の方法。
【請求項１４】
ユーザ装置により指示信号を受信する前記ステップは、基地局により送信された指示信号を前記ユーザ装置により受信するステップを具備することを特徴とする請求項１から１３のいずれか一項に記載の方法。
【請求項１５】
ユーザ装置であって、
指示信号を受信するように構成されている受信ユニットであって、前記指示信号は、1つまたは複数の制御信号により物理リソースのリソース番号が占有されていることを示すために使用され、前記リソース番号は、前記物理リソースの時間情報及び周波数情報を具備する、受信ユニットと、
前記リソース番号に従って、対応する物理リソースを前記1つまたは複数の制御信号に割り当てるように構成されている割り当てユニットと、
前記1つまたは複数の制御信号を送信するように構成されている送信ユニットと、
を具備することを特徴とするユーザ装置。
【手続補正２】
【補正対象書類名】明細書
【補正対象項目名】全文
【補正方法】変更
【補正の内容】
【発明の詳細な説明】
【技術分野】
【０００１】
【０００２】
前記本発明は、通信分野に関連し、より具体的には、信号送信方法及びユーザ装置に関する。
【背景技術】
【０００３】
ユーザ装置(UE:User Equipment)間のD2D ProSe(Device to Device Proximity Service)が、ロング・ターム・エボリューション(LTE:Long Term Evolution)システムの注目の話題になっている。
【０００４】
D2D ProSeは、データ信号及び制御信号に関連し、前記制御信号は、前記データ信号により占有される周波数リソースを示すために使用され、前記データ信号は、データを搬送するために使用される。
【０００５】
しかし、既存のLTE通信システムにおいて、受信端は、制御信号により占有されている時間リソースを判定できず、前記制御信号を得られるように、すべての可能な時間リソース上でブラインド検出を実行する必要があるため、前記受信端が、前記制御信号を取得するために時間と電気エネルギーをより消費しなければならない原因となる。
【発明の概要】
【課題を解決するための手段】
【０００６】
本発明の実施形態は、受信端におけるエネルギー消費量を減少可能な、信号送信方法及びユーザ装置を提供する。
【０００７】
第１の特徴によると、ユーザ装置が、指示信号を受信するステップであって、前記指示信号は、1つまたは複数の制御信号、例えば、スケジューリング割り当て(SA:Scheduling Assignment)信号などにより、物理リソースのリソース番号が占有されていることを示すために使用され、前記リソース番号は、前記物理リソースの時間情報及び周波数情報を具備し、前記ユーザ装置が、前記リソース番号に従って、対応する物理リソースを前記1つまたは複数の制御信号に割り当てるステップと、前記ユーザ装置が前記1つまたは複数の制御信号を送信するステップと、を具備する信号送信方法が提供される。
【０００８】
前記第1の特徴に関連し、前記第1の特徴の第１の実装方法において、前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、異なる物理リソースグループにおける同じリソース番号は、同じ時間シーケンス番号及び同じ周波数シーケンス番号に対応し、又は異なる物理リソースグループにおける同じリソース番号は、同じ時間シーケンス番号及び異なる周波数シーケンス番号に対応し、又は異なる物理リソースグループにおける同じリソース番号は、異なる時間シーケンス番号及び同じ周波数シーケンス番号に対応し、又は異なる物理リソースグループにおける同じリソース番号は、異なる時間シーケンス番号及び異なる周波数シーケンス番号に対応する。
【０００９】
前記第1の特徴の前記第1の可能な実装方法に関連し、第２の実装方法において、異なる物理リソースグループにおける同じリソース番号が、同じ時間シーケンス番号及び同じ周波数シーケンス番号に対応する場合、各前記物理リソースグループは、M 時間リソースを含み、各前記時間リソースは、N 周波数リソースを含み、したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００１０】
前記第1の特徴の前記第1の可能な実装方法に関連し、第３の実装方法において、異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００１１】
前記第1の特徴の前記第1の可能な実装方法に関連し、第４の実装方法において、異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００１２】
前記第1の特徴の前記第1の可能な実装方法に関連し、第５の実装方法において、異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００１３】
前記第1の特徴の前記第２から第５の可能な実装方法のいずれか１つの関連し、第６の実装方法において、Mは２以上の正の整数である、及び／又は、Nは２以上の正の整数である。
【００１４】
前記第1の特徴に関連し、第７の可能な実装方法において、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００１５】
前記第1の特徴の前記第７の可能な実装方法に関連し、第８の可能な実装方法において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【００１６】
前記第1の特徴の前記第７の可能な実装方法に関連し、第９の可能な実装方法において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数である。
【００１７】
前記第1の特徴の第８又は第９の可能な実装方法に関連し、第１０の可能な実装方法において、Nは２以上の正の整数である。
【００１８】
前記第1の特徴の第３又は第９の可能な実装方法に関連し、第１１の可能な実装方法において、Qfは、セル識別情報により判定される。
【００１９】
前記第1の特徴の前記第１１の可能な実装方法に関連し、第１２の可能な実装方法において、Qfは、Qf=mod(ID_cell,N)であり、ここで、ID_cellは、前記セル識別情報である。
【００２０】
前記第1の特徴の前記第１２の可能な実装方法に関連し、第１３の可能な実装方法において、前記セル識別情報は、物理的セル識別情報である。
【００２１】
前記第1の特徴の前記第４の可能な実装方法に関連し、第１４の可能な実装方法において、Qtは、セル識別情報により判定される。
【００２２】
前記第1の特徴の前記第１４の可能な実装方法に関連し、第１５の可能な実装方法において、Qtは、Qt=mod(ID_cell,M)であり、ここで、ID_cellは、前記セル識別情報である。
【００２３】
前記第1の特徴の前記第１５の可能な実装方法に関連し、第１６の可能な実装方法において、前記セル識別情報は、物理的セル識別情報である。
【００２４】
前記第1の特徴の前記第５の可能な実装方法に関連し、第１７の可能な実装方法において、QfとQtは、セル識別情報により判定される。
【００２５】
前記第1の特徴の前記第１７の可能な実装方法に関連し、第１８の可能な実装方法において、Qfは、Qf=mod(ID_cell,N)であり、Qtは、Qt=mod(ID_cell,M)であり、ここで、ID_cellは、前記セル識別情報である。
【００２６】
前記第1の特徴の前記第１８の可能な実装方法に関連し、第１９の可能な実装方法において、前記セル識別情報は、物理的セル識別情報である。
【００２７】
前記第1の特徴に関連し、前記第1の特徴の第２０の実装方法において、前記ユーザ装置は、前記1つまたは複数の制御信号により占有される前記物理リソースをグルーピングし、以下を具備する：前記ユーザ装置は、リソース番号と、1つまたは複数の制御信号により占有される物理リソースとの間の対応に従って、前記1つまたは複数の制御信号により占有される前記物理リソースをグルーピングし、リソース番号と、1つまたは複数の制御信号により占有される物理リソースの間の対応は、プリセットされるか、受信端からフィードバックされるか、又は、サードパーティにより提供される。
【００２８】
前記第1の特徴の第１２の実装方法に関し、前記第1の特徴の第２１の実装方法において、前記方法は、前記ユーザ装置が、リソース番号と1つまたは複数の制御信号により占有される物理リソースとの間の対応を受信端に送信するステップを具備する。
【００２９】
前記第1の特徴又は、前記第1の特徴の第２から第２１の可能な実装方法のいずれか１つに関連し、前記第1の特徴の第２２の実装方法において、ユーザ装置により指示信号を受信する前記ステップは、基地局により送信された指示信号を前記ユーザ装置により受信するステップを具備する。
【００３０】
第２の特徴によると、ユーザ装置が提供され、前記ユーザ装置は、指示信号を受信するように構成されている受信ユニットであって、前記指示信号は、1つまたは複数の制御信号、例えば、スケジューリング割り当て(SA:Scheduling Assignment)信号により物理リソースのリソース番号が占有されていることを示すために使用され、前記リソース番号は、前記物理リソースの時間情報及び周波数情報を具備する受信ユニットと、前記リソース番号に従って、対応する物理リソースを前記1つまたは複数の制御信号に割り当てるように構成されている割り当てユニットと、前記1つまたは複数の制御信号を送信するように構成されている送信ユニットと、を具備する。
【００３１】
前記第２の特徴に関連し、第１の可能な実装方法において、前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【００３２】
前記第２の特徴の前記第1の可能な実装方法に関連し、第２の可能な実装方法において、異なる物理リソースグループにおける同じリソース番号は、同じ時間シーケンス番号及び同じ周波数シーケンス番号に対応し、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００３３】
前記第２の特徴の前記第1の可能な実装方法に関連し、第３の可能な実装方法において、異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００３４】
前記第２の特徴の前記第1の可能な実装方法に関連し、第４の可能な実装方法において、異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００３５】
前記第２の特徴の前記第1の可能な実装方法に関連し、第５の実装方法において、異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００３６】
前記第２の特徴の前記第２から第５の可能な実装方法のいずれか一つに関連し、第６の実装方法において、Mは２以上の正の整数である、及び／又は、Nは２以上の正の整数である。
【００３７】
前記第２の特徴に関連し、第７の実装方法において、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００３８】
前記第２の特徴の前記第７の可能な実装方法に関連し、第８の実装方法において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【００３９】
前記第２の特徴の前記第７の可能な実装方法に関連し、第９の実装方法において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数である。
【００４０】
前記第２の特徴の前記第８又は第９の可能な実装方法に関連し、第１０の可能な実装方法において、Nは２以上の正の整数である。
【００４１】
前記第２の特徴の前記第３または第９の可能な実装方法に関連し、第１１の可能な実装方法において、Qfは、セル識別情報により判定される。
【００４２】
前記第２の特徴の前記第１１の可能な実装方法に関連し、第１２の可能な実装方法において、Qfは、Qf=mod(ID_cell,N)であり、ここで、ID_cellは、前記セル識別情報である。
【００４３】
前記第２の特徴の前記第１２の可能な実装方法に関連し、第１３の可能な実装方法において、前記セル識別情報は、物理的セル識別情報である。
【００４４】
前記第２の特徴の前記第４の可能な実装方法に関連し、第１４の可能な実装方法において、Qtは、セル識別情報により判定される。
【００４５】
前記第２の特徴の前記第１４の可能な実装方法に関連し、第１５の可能な実装方法において、Qtは、Qt=mod(ID_cell,M)、ここで、ID_cellは、前記セル識別情報である。
【００４６】
前記第２の特徴の前記第１５の可能な実装方法に関連し、第１６の可能な実装方法において、前記セル識別情報は、物理的セル識別情報である。
【００４７】
前記第２の特徴の前記第５の可能な実装方法に関連し、第１７の可能な実装方法において、QfとQtは、セル識別情報により判定される。
【００４８】
前記第２の特徴の前記第１７の可能な実装方法に関連し、第１８の可能な実装方法において、Qfは、Qf=mod(ID_cell,N)であり、及び、Qtは、Qt=mod(ID_cell,M)であり、ここで、ID_cellは、前記セル識別情報である。
【００４９】
前記第２の特徴の前記第１８の可能な実装方法に関連し、第１９の可能な実装方法において、前記セル識別情報は、物理的セル識別情報である。
【００５０】
前記第２の特徴に関連し、前記第２の特徴の第２０の実装方法において、前記ユーザ装置は、前記1つまたは複数の制御信号により占有される前記物理リソースを、リソース番号と、1つまたは複数の制御信号により占有される物理リソースとの対応に従って、グルーピングするように構成されているグルーピングユニットを具備し、リソース番号と、1つまたは複数の制御信号により占有される物理リソースとの間の対応は、プリセットされるか、受信端からフィードバックされるか、又は、サードパーティから提供される。
【００５１】
前記第２の特徴の前記第２０の実装方法に関連し、前記第２の特徴の第２１の実装方法において、前記送信ユニットは、具体的には、リソース番号と、1つまたは複数の制御信号により占有される物理リソースとの間の対応を前記受信端に送信するように構成されている。
【００５２】
前記第２の特徴又は前記第２の特徴の前記第１から第２１のいずれか一つの実装方法に関連し、前記第２の特徴の第２２の実装方法において、前記受信ユニットは、具体的には、基地局により送信された指示信号を受信するように構成されている。
【００５３】
先述の技術的ソリューションに基づき、本発明の前記実施形態において、ユーザ装置は、指示信号を受信でき、前記指示信号は、1つまたは複数の制御信号により物理リソースのリソース番号が占有されていることを示すために使用され、前記リソース番号は、前記物理リソースの時間情報及び周波数情報を具備し、前記ユーザ装置は、前記リソース番号に従って、対応する物理リソースを前記1つまたは複数の制御信号に割り当て、前記ユーザ装置は、前記1つまたは複数の制御信号を送信する。したがって、制御信号を搬送する物理リソースが、正確に示されることができ、これにより、受信端における処理時間と電気的エネルギー消費量を節約し、ネットワークパフォーマンスを改善する。
【００５４】
本発明の前記実施形態において前記技術的ソリューションをより明確に説明するために、以下では簡単に本発明の前記実施形態を説明するために必要とされる添付の図面を紹介する。以下で説明される添付の図面は、単にいくつかの本発明の実施形態を示しており、当業者は、創作的な努力なしにこれらの添付の図面から他の図面を依然として得ることができることは、明らかである。
【図面の簡単な説明】
【００５５】
【図１】図１は、本発明の実施形態に従う、信号送信方法のフローチャートの略図である。
【図２】図２は、本発明の前記実施形態に従う前記信号送信方法において制御信号を搬送する物理リソースをグルーピングするステップの結果の概略図である。
【図３】図３は、本発明の前記実施形態に従う前記信号送信方法において制御信号を搬送する物理リソースをグルーピングするステップの結果の他の概略図である。
【図４】図４も、は、本発明の前記実施形態に従う前記信号送信方法において制御信号を搬送する物理リソースをグルーピングするステップの結果の他の概略図である。
【図５】も、は、本発明の前記実施形態に従う前記信号送信方法において制御信号を搬送する物理リソースをグルーピングするステップの結果の他の概略図である。
【図６】図６は、本発明の前記実施形態に従う前記信号送信方法において制御信号を搬送する物理リソースを示すステップの結果の概略図である。
【図７】図７は、本発明の前記実施形態に従う前記信号送信方法において制御信号を搬送する物理リソースを示すステップの結果の他の概略図である。
【図８】図８は、本発明の実施形態に従うユーザ装置の略ブロック図である。
【図９】図９は、本発明の他の実施形態に従うユーザ装置の略ブロック図である。
【発明を実施するための形態】
【００５６】
以下では、明確に、本発明の前記実施形態における技術的ソリューションを本発明の実施形態における添付の図面と関連して説明する。説明される実施形態は、本発明の前記実施形態のいくつかであってすべてではないことは明らかである。創作的な努力無しに本発明の前記実施形態に基づいて当業者により得られるすべての他の実施形態は、前記本発明のその保護範囲内にあることになる。
【００５７】
本発明の前記実施形態の前記技術的ソリューションは、例えば、GSM(登録商標)(Global System of Mobile communication)システム、符号分割多元接続(CDMA:Code Division Multiple Access)システム、広帯域符号分割多元接続(WCDMA（登録商標）:Wideband Code Division Multiple Access)システム、汎用パケット無線システム(GPRS:General Packet Radio Service)、ロング・ターム・エボリューション(LTE:Long Term Evolution)システム、LTE周波数分割多重(FDD:Frequency Division Duplex)システム、LTE時分割多重(TDD:Time Division Duplex)、ユニバーサル移動電話システム(UMTS:Universal Mobile Telecommunication System)、又はワールドワイド・インターオペラビリティ・フォー・マイクロウェーブ・アクセス(WiMAX:Worldwide Interoperability for Microwave Access)通信システム等の種々の通信システムに適用可能である、と理解すべきである。
【００５８】
本発明の前記実施形態において、ユーザ装置(UE:User Equipment)は、移動局(MS:Mobile Station)、移動端末(Mobile Terminal)、携帯電話(Mobile Telephone)、ハンドセット(handset)、携帯型機器(portable equipment)、等を含むがこれらに限定されない、と理解すべきである。前記ユーザ装置は、無線アクセスネットワーク(RAN:Radio Access Network)を使用することにより、1つまたは複数のコアネットワークと通信しうる。例えば、前記ユーザ装置は、携帯電話(又は、「セルラー」電話とも呼ぶ)、又は無線通信機能とともに提供されるコンピュータであり得、前記ユーザ装置は、さらに、携帯型、ポケット型、ハンドヘルド、コンピュータ組込み型、又は、車載モバイル機器でありうる。
【００５９】
本発明の前記実施形態におけるユーザ装置及び第２ユーザ装置は、任意の限定を付すものではなく、単に説明を容易にするためであることも理解すべきである。
【００６０】
本発明の前記実施形態において、基地局は、GSM(登録商標)又はCDMAにおける基地局装置(BTS:Base Transceiver Station)であってよく、WCDMA（登録商標）におけるNodeB(NodeB)であってもよく、LTEシステム用無線基地局装置(eNB又はe-NodeB:evolved NodeB)であってもよく、D2D通信におけるユーザクラスタのクラスタヘッド(Cluster Head)であってもよいが、本発明の前記実施形態においてそれらに限定されない。
【００６１】
図１は、本発明の実施形態に従う、信号送信方法のフローチャートの略図である。図１示されているように、前記方法は、以下を含む。
【００６２】
110：  ユーザ装置は、指示信号を受信する。前記指示信号は、1つまたは複数の制御信号、例えば、スケジューリング割り当て(SA:Scheduling Assignment)信号により物理リソースのリソース番号が占有されていることを示すために使用され、前記リソース番号は、前記物理リソースの時間情報及び周波数情報を具備する。
【００６３】
具体的には、前記ユーザ装置は、基地局により送信された指示信号を受信できるが、本発明のこの実施形態において限定されない。例えば、前記ユーザ装置は、受信端のフィードバックに従って指示信号も受信することができ、事前設定に従って指示信号を受信してもよい。
【００６４】
120：  前記ユーザ装置は、前記リソース番号に従って、対応する物理リソースを前記１つまたは複数の制御信号に割り当てる。
【００６５】
具体的には、前記リソース番号は、1つまたは複数の物理リソースユニット、例えば、２，３，５、又は１０の物理リソースユニットを示すことができ、各前記物理リソースユニットは、時間シーケンス番号及び周波数シーケンス番号により一意的に識別されるが、本発明のこの実施形態において限定されない。
【００６６】
前記ユーザ装置は、多数の方法を使用することにより、前記対応する物理リソースを前記1つまたは複数の制御信号に割り当てうるが、本発明のこの実施形態において限定されないことは理解すべきである。
【００６７】
130：  前記ユーザ装置は、前記1つまたは複数の制御信号を送信する。
【００６８】
前記ユーザ装置は、前記1つまたは複数の制御信号を複数の方法を使用することに送信し得るとともに、本発明のこの実施形態において限定されないことは理解すべきである。
【００６９】
本発明のこの実施形態において、制御信号を搬送する物理リソースは、正確に示されることができ、したがって、受信端は、ブラインド検出の実行をする必要なく前記制御信号を受信でき、これにより、受信端における処理時間及びエネルギー消費量を節約する。
【００７０】
先述の説明は、本発明のこの実施形態における前記信号送信方法を図１を参照しユーザ装置の透視図から詳細に説明する
【００７１】
以下では、特定の例を参照して本発明のこの実施形態を詳細にさらに説明する。図１の例は、単に当業者による本発明のこの実施形態の理解を促進するためのものであり、具体的な値や、前記例における特定のシナリオにより本発明のこの実施形態を限定するものではないことに留意すべきである。当業者は、図１により与えられる例に従って種々の等価な修正や変更を行うことができるが、それらも本発明のこの実施形態の保護範囲内に入るものである。
【００７２】
図２から図５に関連し、以下では具体的に本発明のこの実施形態における前記信号送信方法を説明する。図２から図５は、本発明のこの実施形態に従う前記信号送信方法における制御信号を搬送する物理リソースをグルーピングするステップの結果のいくつかの概略図である。
【００７３】
本発明のこの実施形態に従う前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【００７４】
具体的には、前記リソース番号は、前記基地局、前記ユーザ装置、又は、サードパーティが、前記1つまたは複数の制御信号により占有される前記物理リソースをグルーピングした後に決定されるが、本発明のこの実施形態において限定されない。
【００７５】
具体的には、M 時間リソース、例えば、無線フレーム、サブフレーム、及び時間スロット、は、一つのグループに分類されうる。各時間リソースは、N 周波数リソース、例えば、物理リソースブロック(PRB:Physical Resource Block)及びサブキャリアをさらに含み、M及びNは、正の整数であるが、本発明のこの実施形態において限定されない。
【００７６】
前記グルーピングの後、前記物理リソースグループにおいて、プリセットグルーピング方法に従って判定される同じリソース番号は、４つの場合に分類されうる：同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。上述の場合を満たすグルーピング方法はすべて、本発明のこの実施形態の保護範囲内に入るものである。
【００７７】
本発明のこの実施形態によれば、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含んでいる。したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【００７８】
具体的には、図２示されているように、Mは、５であり、前記時間シーケンス番号は、０から４である。Nは、１２であり、前記周波数シーケンス番号は、０から１１である。これらの時間リソース及び周波数リソースは、全部でM × N 60 リソース番号を取得するように、左から右の順、かつ、上から下の順で、番号付けされている。リソース番号がxである各物理リソースの時間シーケンス番号は、mod(x,M)であり、前記物理リソースの周波数シーケンス番号は、floor(x/M)である。すなわち、前記グルーピングの後、指示信号は、受信端が、時間シーケンス番号がmod(x,M)であり、かつ、周波数シーケンス番号がfloor(x/M)である前記物理リソース上で、前記制御信号を検出し取得できるようにリソース番号がxである前記物理リソースを使用し、制御信号を搬送するように指示しうる。
【００７９】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、前記制御信号を、対応する物理リソース上で検出し、取得できるように、制御信号を搬送する物理リソースのリソース番号を正確に示すことができ、これにより、前記受信端での処理時間及び電気的エネルギー消費量を節約する。
【００８０】
前述の実施形態において、異なる物理リソースグループにおける同じリソース番号は、同じ物理リソースに対応する。すなわち、異なる物理リソースグループにおける２つのリソース番号のそれぞれに対応する物理リソース、例えば、図２におけるリソース番号 1とリソース番号 21、は常に同じであり、周波数間隔も常に同じである。同様に、異なる物理リソースグループにおいて２つのリソース番号の時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて常に同じであり、干渉ランダム化が達成されることができない。
【００８１】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各前記物理リソースグループは、M*Nの物理リソースを含み、すなわち、M*Nのリソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【００８２】
具体的には、図３に示されているように、物理リソースグループの前記シーケンス番号は、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされる。リソース番号がxである各物理リソースの時間シーケンス番号は、mod(x,M)であり、前記物理リソースの周波数シーケンス番号は、mod[floor(x/M)+P*Qf,N]である。すなわち、前記グルーピングの後、指示信号は、受信端が、時間シーケンス番号がmod(x,M)であり、周波数シーケンス番号がmod[floor(x/M)+P*Qf,N]である前記物理リソース上で、前記制御信号を検出し、取得できるように、リソース番号がxである前記物理リソースを使用して制御信号を搬送するように指示しうる。
【００８３】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００８４】
加えて、前述の実施形態において、異なる物理リソースグループにおける同じリソース番号は、異なる物理リソースに対応する。すなわち、異なる物理リソースグループにおける、２つのリソース番号のそれぞれに対応する物理リソースの周波数シーケンス番号、例えば、図３におけるリソース番号 1 とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて異なっており、周波数ドメイン干渉ランダム化が達成されることができない。
【００８５】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【００８６】
具体的には、図４に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされる。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、前記グルーピングの後、指示信号は、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である、前記物理リソース上で、受信端が、前記制御信号を検出し、取得することができるように、リソース番号がxである前記物理リソースを使用して制御信号を搬送するように指示しうる。
【００８７】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００８８】
加えて、前述の実施形態において、異なる物理リソースグループにおける同じリソース番号は、異なる物理リソースに対応する。すなわち、異なる物理リソースグループにおいて、２つのリソース番号のそれぞれに対応する物理リソースの時間シーケンス番号、例えば、図４におけるリソース番号 1 とリソース番号 21、は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化が達成されることができない。
【００８９】
図３における前記実施形態は、周波数ドメイン干渉の問題を解消するが、時間ドメイン干渉はランダム化されることができないという問題は依然として存在しており、同様に、図４における前記実施形態は、時間ドメイン干渉の問題を解消するが、周波数ドメイン干渉はランダム化されることができないという問題は依然として存在し、したがって、システムパフォーマンスに依然として影響する。
【００９０】
図２において存在する問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【００９１】
具体的には、図５に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1であり、Qfは、４である。これらの時間リソース及び周波数リソースは、番号付けされる。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、前記グルーピングの後、指示信号は、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で、受信端が、前記制御信号を検出し、取得することができるように、リソース番号がxである前記物理リソースを使用して制御信号を搬送するように指示しうる。
【００９２】
したがって、本発明のこの実施形態において、多数の時間リソース及び多数の周波数リソースを含む物理リソースをグルーピングすることにより、指示信号は、受信端が、ブラインド検出などの複雑な動作を実行する必要なしに、対応する物理リソース上で、前記制御信号を検出し、取得することができるように、制御信号を搬送する物理リソースのリソース番号を正確に示すことができ、これにより、前記受信端における処理時間及び電気的エネルギー消費量を節約する。
【００９３】
加えて、前述の実施形態において、異なる物理リソースグループにおける同じリソース番号は、異なる物理リソースに対応する。すなわち、異なる物理リソースグループにおいて、時間シーケンス番号及び２つのリソース番号のそれぞれに対応する物理リソースの周波数シーケンス番号、例えば、図５におけるリソース番号 1とリソース番号 21、は、異なっている。この場合には、データが同じリソース番号を使用することにより送信される場合、時間シーケンス番号と、異なる物理リソースグループにおいて使用される物理リソースの周波数シーケンス番号は、異なっている。したがって、システムへの時間ドメイン干渉及び周波数ドメイン干渉は、異なる物理リソースグループにおいて異なっており、時間ドメイン干渉ランダム化及び周波数ドメイン干渉ランダム化が達成され得る。
【００９４】
同様に、他の実施形態において、Mは、2以上の正の整数であってよく、及び／又は、Nは、２以上の正の整数であってよい。
【００９５】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をよりよく反映しうる、と理解すべきである。
【００９６】
本発明のこの実施形態によると、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【００９７】
具体的には、前記時間リソース番号は、1つまたは複数の時間シーケンス番号を含みうるが、本発明のこの実施形態において限定されない。
【００９８】
プリセット方法に従って判定された、異なる時間リソース番号の中で、又は、異なる時間シーケンス番号の中で、同じ周波数リソース番号は、同じ周波数シーケンス番号又は異なる周波数シーケンス番号に対応しうる、と理解すべきである。これら２つの場合に合致する方法は、本発明のこの実施形態の保護範囲内に入るものである。
【００９９】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示す。
【０１００】
図６は、本発明の他の実施形態に従う前記信号送信方法において制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)である。すなわち、指示信号は、受信端が、時間シーケンス番号がと指定されるとともに周波数シーケンス番号が、mod(x,N)である前記物理リソース上で、前記制御信号を検出し、取得することができるように、時間シーケンス番号が指定されるとともに周波数シーケンス番号が、mod(x,N)である、任意の物理リソースを使用し、制御信号を搬送するように指示しうる。
【０１０１】
したがって、本発明のこの実施形態において、制御信号を搬送する周波数シーケンス番号及び物理リソースの時間シーケンス番号は、受信端が、ブラインド検出などの複雑な動作を実行する必要なしに、対応する物理リソース上で、前記制御信号を検出し、取得することができるように、指示信号を使用することにより示すことができ、これにより、前記受信端における処理時間及び電気的エネルギー消費量を節約する。
【０１０２】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１０３】
図７は、本発明の他の実施形態に従う前記信号送信方法において制御信号を搬送する物理リソースを示すステップの結果の他の概略図である。具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、指示信号は、受信端が、前記時間シーケンス番号がPtであり、周波数シーケンス番号がmod(x+Pt*Qf,N)である物理リソース上で、前記制御信号を検出し、取得することができるように、時間シーケンス番号がPtであり、周波数シーケンス番号がmod(x+Pt*Qf,N)である物理リソースを使用して制御信号を搬送するように指示しうる。
【０１０４】
したがって、本発明のこの実施形態において、制御信号を搬送する周波数シーケンス番号及び物理リソースの時間シーケンス番号は、受信端が、ブラインド検出などの複雑な動作を実行する必要なしに、対応する物理リソース上で、前記制御信号を検出し、取得することができるように、指示信号を使用することにより示されうる。これにより、前記受信端における処理時間及び電気的エネルギー消費量を節約する。
【０１０５】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号のそれぞれに対応する周波数シーケンス番号は、異なる。例えば、図７における周波数リソース番号 1と周波数リソース番号 5。この場合には、周波数ドメイン干渉ランダム化が達成され得る。
【０１０６】
同様に、他の実施形態において、Qf及び／又はQtは、セル識別情報により判定され得、例えば、Qfは、Qf=mod(ID_cell,N)であり、及び／又は、Qtは、Qt=mod(ID_cell,M)であり、ここで、ID_cellは、前記セル識別情報である。
【０１０７】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１０８】
代わりに、他の実施形態において、前記セル識別情報は、物理的セル識別情報(PCI:Physical Cell identity)であってよい。
【０１０９】
LTE通信システムにおいて、前記物理的セル識別子を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１１０】
代わりに、他の実施形態において、前記リソース番号は、前記ユーザ装置が前記1つまたは複数の制御信号により占有される前記物理リソースをグルーピングした後に判定され、以下を含む。前記ユーザ装置は、前記グルーピングの結果に従って、前記リソース番号を判定し、前記グルーピングの結果は、前記サードパーティ又は前記受信端から取得され、すなわち、前記受信端又は前記サードパーティは、前記1つまたは複数の制御信号により占有される前記物理リソースをグルーピングする。
【０１１１】
代わりに、他の実施形態において、前記リソース番号は、前記ユーザ装置が前記1つまたは複数の制御信号により占有される前記物理リソースをグルーピングした後に判定され、以下を含む。前記ユーザ装置は、リソース番号と、1つまたは複数の制御信号により占有される物理リソースとの対応に従って、前記1つまたは複数の制御信号により占有される前記物理リソースをグルーピングし、そして、前記グルーピングの結果に従って、前記リソース番号を判定し、ここで、リソース番号と、1つまたは複数の制御信号により占有される物理リソースとの間の対応は、プリセットされるか、前記受信端からフィードバックされるか、又は前記サードパーティにより提供される。
【０１１２】
代わりに、他の実施形態において、前記方法は、前記ユーザ装置が、リソース番号と、1つまたは複数の制御信号により占有される物理リソースとの間の対応を前記受信端に送信するステップを具備する。
【０１１３】
任意で、ユーザ装置が指示信号を受信することは、以下を含む：前記ユーザ装置は、前記基地局により送信される指示信号を受信する。
【０１１４】
図８は、本発明の実施形態に従うユーザ装置の略ブロック図である。図８に示されているように、ユーザ装置800は、受信ユニット810と、割り当てユニット820と、送信ユニット830と、を具備する。
【０１１５】
具体的には、前記受信ユニット810は、指示信号を受信するように構成されており、前記指示信号は、1つまたは複数の制御信号により物理リソースのリソース番号が占有されていることを示すために使用され、例えば、スケジューリング割り当て(SA:Scheduling Assignment)信号、前記リソース番号は、前記物理リソースの時間情報及び周波数情報を具備し、前記割り当てユニット820は、前記リソース番号に従って、対応する物理リソースを前記1つまたは複数の制御信号に割り当てるように構成されており、前記送信ユニット830は、前記1つまたは複数の制御信号を送信するように構成されている。
【０１１６】
本発明のこの実施形態において提供される前記ユーザ装置は、制御信号を搬送する物理リソースを正確に示すことができ、したがって、受信端は、ブラインド検出を実行する必要なく前記制御信号を受信可能であり、これにより、前記受信端における処理時間及び電気的エネルギー消費量を節約する。
【０１１７】
図８における前記ユーザ装置は、図１における信号送信方法に対応し、したがって、本発明のこの実施形態における前記ユーザ装置は、図２から図７を参照して詳細に説明され得る。図２から図５は、本発明の実施形態に従う前記信号送信方法における制御信号を搬送する物理リソースのグルーピングするステップの結果のいくつかの概略図であり、図６及び図７は、本発明の他の実施形態に従う前記信号送信方法における制御信号を搬送する物理リソースを示すステップの結果の概略図である。
【０１１８】
本発明のこの実施形態よると、前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【０１１９】
具体的には、前記リソース番号は、基地局、前記ユーザ装置、又は、サードパーティが前記1つまたは複数の制御信号により占有される前記物理リソースをグルーピングした後に判定されるが、本発明のこの実施形態において限定されない。
【０１２０】
具体的には、M 時間リソース、例えば、無線フレーム、サブフレーム、及び時間スロットは、１つのグループに分類され得る。各時間リソースは、N 周波数リソース、例えば、物理リソースブロック(PRB:Physical Resource Block)と、サブキャリアをさらに含み、M及びNは、正の整数であるが、本発明のこの実施形態において限定されない。
【０１２１】
前記グルーピングの後、前記物理リソースグループにおいて、プリセットグルーピング方法に従って判定された同じリソース番号は、４つの場合に分類されうる:同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。上述の場合を満たすグルーピング方法はすべて、本発明のこの実施形態の保護範囲内に入るものである。
【０１２２】
本発明のこの実施形態によると、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【０１２３】
具体的には、図２示されているように、Mは、５であり、前記時間シーケンス番号は、０から４である。Nは、１２であり、前記周波数シーケンス番号は、０から１１である。これらの時間リソース及び周波数リソースは、全部で M × N 60 リソース番号が取得されるように、左から右の順、かつ、上から下の順で、番号付けされている。リソース番号がxである各物理リソースの時間シーケンス番号は、mod(x,M)であり、前記物理リソースの周波数シーケンス番号は、floor(x/M)である。すなわち、前記グルーピングの後、受信端が、時間シーケンス番号がmod(x,M)であり、かつ、周波数シーケンス番号がfloor(x/M)である前記物理リソース上で、前記制御信号を検出し、取得することができるように、指示信号は、リソース番号がxである前記物理リソースを使用して制御信号を搬送するように指示しうる。
【０１２４】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１２５】
前述の実施形態において、異なる物理リソースグループにおける同じリソース番号は、同じ物理リソースに対応する。すなわち、異なる物理リソースグループにおいて、２つのリソース番号のそれぞれに対応する物理リソース、例えば、図２におけるリソース番号 1とリソース番号 21、は、常に同じであり、周波数間隔は常に同じである。同様に、異なる物理リソースグループにおいて、２つのリソース番号時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて、常に同じであり、干渉ランダム化は、達成されることができない。
【０１２６】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【０１２７】
具体的には、図３に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされている。リソース番号がxである各物理リソースの時間シーケンス番号は、mod(x,M)であり、前記物理リソースの周波数シーケンス番号は、mod[floor(x/M)+P*Qf,N]である。すなわち、受信端が、時間シーケンス番号がmod(x,M)であり、周波数シーケンス番号がmod[floor(x/M)+P*Qf,N]である前記物理リソース上で、前記制御信号を検出し、取得することができるように、前記グルーピングの後、指示信号は、リソース番号がxである前記物理リソースを使用して制御信号を搬送するように指示しうる。
【０１２８】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１２９】
加えて、前述の実施形態において、異なる物理リソースグループにおける同じリソース番号は、異なる物理リソースに対応する。すなわち、異なる物理リソースグループにおいて、２つのリソース番号のそれぞれに対応する物理リソースの周波数シーケンス番号、例えば、図３におけるリソース番号 1とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて、異なっており、周波数ドメイン干渉ランダム化が達成され得る。
【０１３０】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【０１３１】
具体的には、図４に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされている。時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である物理リソース上で、受信端が、制御信号を検出し、取得することができるように、リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、前記グルーピングの後、指示信号は、リソース番号がxである前記物理リソースを使用して制御信号を搬送するように指示しうる。
【０１３２】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１３３】
加えて、前述の実施形態において、異なる物理リソースグループにおける同じリソース番号は、異なる物理リソースに対応する。すなわち、異なる物理リソースグループにおいて、２つのリソース番号のそれぞれに対応する物理リソースの時間シーケンス番号、例えば、図４におけるリソース番号 21、は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化が達成され得る。
【０１３４】
図３の前記実施形態は、前記周波数ドメイン干渉の問題を解消するが、前記時間ドメイン干渉がランダム化され得ないという問題は依然として存在し、同様に、図４の前記実施形態は、前記時間ドメイン干渉の問題を解消するが、前記周波数ドメイン干渉がランダム化され得ないという問題は依然として存在し、したがって、システムパフォーマンスは依然として影響を受けている。
【０１３５】
図２において存在する前記問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【０１３６】
具体的には、図５に示されているように、前記物理リソースグループの前記シーケンス番号 Pは、０から２であり、Mは、５であり、前記時間シーケンス番号は、０から４である。Nは、１２であり、前記周波数シーケンス番号は、０から１１であり、Qtは、1であり、Qfは、４である、これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で、受信端が、前記制御信号を検出し、取得することができるように、前記グルーピングの後、指示信号は、リソース番号がxである前記物理リソースを使用して制御信号を搬送するように指示しうる。
【０１３７】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１３８】
加えて、前述の実施形態において、異なる物理リソースグループにおける同じリソース番号は、異なる物理リソースに対応する。すなわち、異なる物理リソースグループにおいて、時間シーケンス番号及び２つのリソース番号のそれぞれに対応する物理リソースの周波数シーケンス番号、例えば、図５におけるリソース番号 1とリソース番号 21、は、異なっている。この場合には、データが同じリソース番号を使用することにより送信される場合、時間シーケンス番号と異なる物理リソースグループにおいて使用される物理リソースの周波数シーケンス番号は、異なっている。したがって、時間ドメイン干渉及びシステムへの周波数ドメイン干渉は、異なる物理リソースグループにおいて異なっており、時間ドメイン干渉ランダム化及び周波数ドメイン干渉ランダム化が達成され得る。
【０１３９】
同様に、他の実施形態において、Mは、2以上の正の整数であってよく、及び／又は、Nは、２以上の正の整数であってよい。
【０１４０】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をよりよく反映しうる、と理解すべきである。
【０１４１】
本発明のこの実施形態によれば、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【０１４２】
具体的には、前記時間リソース番号は、1つまたは複数の時間シーケンス番号を具備しうるが、本発明のこの実施形態において限定されない。
【０１４３】
プリセット方法に従って判定された、異なる時間リソース番号の中で、又は異なる時間シーケンス番号の中で、同じ周波数リソース番号は、同じ周波数シーケンス番号又は異なる周波数シーケンス番号に対応しうる、と理解すべきである。これら２つの場合に合致する方法は、本発明のこの実施形態の保護範囲内に入るものである。
【０１４４】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示している。
【０１４５】
図６は、本発明の他の実施形態に従う信号送信方法における制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)であり、すなわち、受信端が、時間シーケンス番号が指定されるとともに周波数シーケンス番号がmod(x,N)である前記物理リソース上で、前記制御信号を検出し、取得することができるように、指示信号は、時間シーケンス番号が指定されるとともに周波数シーケンス番号がmod(x,N)である任意の物理リソースを使用し、制御信号を搬送するように指示しうる。
【０１４６】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１４７】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１４８】
具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、受信端が、前記時間シーケンス番号がPtであり、周波数シーケンス番号がmod(x+Pt*Qf,N)である物理リソース上で、前記制御信号を検出し、取得することができるように、指示信号は、時間シーケンス番号がPtであり、周波数シーケンス番号がmod(x+Pt*Qf,N)である物理リソースを使用して制御信号を搬送するように指示しうる。
【０１４９】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１５０】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号のそれぞれに対応する周波数シーケンス番号は、異なっており、例えば、図７における周波数リソース番号 1と周波数リソース番号 5である。この場合には、周波数ドメイン干渉ランダム化は、達成され得る。
【０１５１】
同様に、他の実施形態において、Qf及び／又はQtは、セル識別情報により判定され、例えば、Qfは、Qf=mod(ID_cell,N)であり、及び／又は、Qtは、Qt=mod(ID_cell,N)であり、ここで、ID_cellは、前記セル識別情報である。
【０１５２】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０１５３】
代わりに、他の実施形態において、前記セル識別情報は、物理的セル識別情報(PCI:Physical Cell identity)であって良い。
【０１５４】
LTE通信システムにおいて、前記物理的セル識別子を使用することにより、前記周波数ホッピングステップ及び／又は前記タイミングホッピングステップを判定すし、セル間干渉ランダム化が達成され得、これにより、前記受信端のセル間干渉の抑制又は相殺を促す、と理解すべきである。
【０１５５】
代わりに、他の実施形態において、前記リソース番号は、前記ユーザ装置が前記1つまたは複数の制御信号により占有される前記物理リソースをグルーピングした後に判定され、以下を含む：前記ユーザ装置は、前記グルーピングの結果に従って、前記リソース番号を判定し、前記グルーピングの結果は、前記サードパーティ、又は前記受信端から取得され、すなわち、前記受信端又は前記サードパーティは、前記1つまたは複数の制御信号により占有される前記物理リソースをグルーピングする。
【０１５６】
代わりに、他の実施形態において、前記ユーザ装置は、リソース番号と、1つまたは複数の制御信号により占有される物理リソースとの対応に従って、前記1つまたは複数の制御信号により占有される前記物理リソースをグルーピングし、前記グルーピングの結果に従って、前記リソース番号をその後判定するように構成されているグルーピングユニットを具備し、リソース番号と、1つまたは複数の制御信号により占有される物理リソースとの間の対応は、プリセットさるか、前記受信端からフィードバックされるか、又は、前記サードパーティにより提供される。
【０１５７】
代わりに、他の実施形態において、前記第１の送信ユニットは、具体的には、リソース番号と、1つまたは複数の制御信号により占有される物理リソースとの間の対応を前記受信端に送信するように構成されている。
【０１５８】
任意で、前記受信ユニットは、具体的には、前記基地局により送信される指示信号を受信するように構成されている。
【０１５９】
図９は、本発明の他の実施形態に従うユーザ装置の略ブロック図である。図９に示されているように、ユーザ装置900は、受信器910と、プロセッサ920と、送信器930とを具備する。前記受信器910は、指示信号を受信するように構成されており、前記指示信号は、1つまたは複数の制御信号により物理リソースのリソース番号が占有されていることを示すために使用され、例えば、スケジューリング割り当て(SA:Scheduling Assignment)信号であり、前記リソース番号は、前記物理リソースの時間情報及び周波数情報を含んでいる。
【０１６０】
前記プロセッサ920は、前記リソース番号に従って、対応する物理リソースを前記1つまたは複数の制御信号に割り当てるように構成されている。
【０１６１】
前記送信器930は、前記1つまたは複数の制御信号を送信するようにさらに構成されている。
【０１６２】
本発明のこの実施形態において提供される前記ユーザ装置は、制御信号を搬送する物理リソースを正確に示すことができ、したがって、受信端は、ブラインド検出を実行する必要なく前記制御信号を受信可能であり、これにより、前記受信端における処理時間及び電気的エネルギー消費量を節約する。
【０１６３】
前記ユーザ装置900は、メモリを備えていてもよく、前記メモリは、読み出し専用メモリ及びとランダム・アクセス・メモリを含み得、前記プロセッサ920に命令及びデータを提供する。前記メモリの一部は、不揮発性ランダム・アクセス・メモリをさらに含んでもよい。例えば、前記メモリは、デバイス形式に関する情報を更に格納してもよい。
【０１６４】
先述の本発明の実施形態における前記方法は、前記プロセッサ920に適用でき、又は前記プロセッサ920により実施され得る。前記プロセッサ920は、信号処理能力を備えた集積回路チップであり得る。実施処理において、先述の方法におけるステップは、前記プロセッサ920内のハードウェアの集積論理回路によって、又は、ソフトウェアの形式における命令によって、実行され得る。前記プロセッサ920は、前記方法、ステップ、及び本発明の実施形態において開示された論理ブロック図を実装又は実行し得る、汎用プロセッサ、デジタル信号プロセッサ(DSP:Digital Signal Processor)、特定用途向け集積回路(ASIC:Application Specific Integrated Circuit)、フィールドプログラマブル・ゲートアレイ(FPGA:Field Programmable Gate Array)又は他のプログラマブル論理コンポーネント、個別のゲート又はトランジスタ論理コンポーネント、又は個別のハードウェアコンポーネントでありうる。前記汎用プロセッサは、マイクロプロセッサであり得、又は他の任意の従来のプロセッサなどであってもよい。本発明の前記実施形態を参照して開示されている前記方法のステップは、ハードウェア復号プロセッサを使用して直接実行され、履行され得るか、又は、復号プロセッサにおいてハードウェアモジュールとソフトウェアモジュールを組み合わせることにより、実行され、履行されうる。ソフトウェアモジュールは、従来技術において完成された、ランダム・アクセス・メモリ(RAM:Random Access Memory)、フラッシュメモリ、読み出し専用メモリ(ROM:Read-Only Memory)、プログラマブル読み出し専用メモリ、電気的消去可能プログラマブルメモリ、又はレジスタなどの格納媒体に配置されて良い。前記格納媒体は前記メモリに内に配置される。前記プロセッサ920は、前記めもりから情報を読み出し、前記ハードウェアとともに、前述の方法のステップを履行する。繰り返しを避けるために、ここでは再び説明しない。
【０１６５】
図９における前記ユーザ装置は、図１の前記信号送信方法に対応し、したがって、本発明のこの実施形態における前記ユーザ装置は、図２から図７を参照し詳細に説明され得る。図２から図５は、本発明の実施形態従う前記信号送信方法における制御信号を搬送する物理リソースをグルーピングするステップの結果のいくつかの概略図であり、図６及び図７は、本発明の他の実施形態に従う前記信号送信方法における制御信号を搬送する物理リソースを示すステップの結果の概略図である。
【０１６６】
本発明のこの実施形態によれば、前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、ここで、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【０１６７】
具体的には、前記リソース番号は、基地局、前記ユーザ装置、又はサードパーティが、前記1つまたは複数の制御信号により占有される前記物理リソースをグルーピングした後に判定されるが、本発明のこの実施形態において限定されない。
【０１６８】
具体的には、M 時間リソース、例えば、無線フレーム、サブフレーム、及び時間スロット、は、１つのグループに分類され得る。各時間リソースは、N 周波数リソース、例えば、 物理リソースブロック(PRB:Physical Resource Block)及びサブキャリアをさらに含み、M及びNは、正の整数であるが、本発明のこの実施形態において限定されない。
【０１６９】
前記グルーピングの後、前記物理リソースグループにおいて、プリセットグルーピング方法に従って判定される同じリソース番号は、４つの場合に分類されうる:同じ時間シーケンス番号と、同じ周波数シーケンス番号とを備える、又は、同じ時間シーケンス番号と、異なる周波数シーケンス番号とを備える、又は、異なる時間シーケンス番号と、同じ周波数シーケンス番号とを備える、又は、異なる時間シーケンス番号と、異なる周波数シーケンス番号とを備える、と理解すべきである。前述の４つの場合に合致するグルーピング方法は、すべて本発明のこの実施形態の保護範囲内に入るものである。
【０１７０】
本発明のこの実施形態によれば、異なる物理リソースグループにおける同じリソース番号が、同じ時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,N)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【０１７１】
具体的には、図２示されているように、Mは、５であり、前記時間シーケンス番号は、０から４である。Nは、１２であり、前記周波数シーケンス番号は、０から１１である。これらの時間リソース及び周波数リソースは、全部でM × N 60 リソース番号を取得できるように、左から右の順、かつ、上から下の順で、番号付けされている。リソース番号がxである各物理リソースの時間シーケンス番号は、mod(x,N)であり、前記物理リソースの周波数シーケンス番号は、floor(x/M)である。すなわち、受信端が、時間シーケンス番号がmod(x,N)であり、周波数シーケンス番号が、floor(x/M)である前記物理リソース上で前記制御信号を検出し、取得することができるように、前記グルーピングの後、指示信号は、リソース番号がxである前記物理リソースを使用して制御信号を搬送するように指示しうる。
【０１７２】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１７３】
前述の実施形態において、異なる物理リソースグループにおける同じリソース番号は、同じ物理リソースに対応する。すなわち、異なる物理リソースグループにおいて、２つのリソース番号のそれぞれに対応する物理リソース、例えば、図２におけるリソース番号 1とリソース番号 21、は、常に同じであり、周波数間隔は常に同じである。同様に、異なる物理リソースグループにおいて、２つのリソース番号時間間隔、例えば、図２におけるリソース番号 1とリソース番号 5、は、常に同じである。この場合には、データが同じリソース番号を使用することにより送信される場合、異なる物理リソースグループにおいて使用される物理リソースは、常に同じである。したがって、システムへの干渉は、異なる物理リソースグループにおいて、常に同じであり、干渉ランダム化は、達成されることができない。
【０１７４】
図２において存在する問題を解消するために、他の実施形態が提唱される。異なる物理リソースグループにおける同じリソース番号が、同じ時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【０１７５】
具体的には、図３に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qfは、４である。これらの時間リソース及び周波数リソースは、番号付けされている。リソース番号がxである各物理リソースの時間シーケンス番号は、mod(x,M)であり、前記物理リソースの周波数シーケンス番号は、mod[floor(x/M)+P*Qf,N]である。すなわち、受信端が、時間シーケンス番号がmod(x,M)であり、周波数シーケンス番号がmod[floor(x/M)+P*Qf,N]である前記物理リソース上で前記制御信号を検出し、取得することができるように、前記グルーピングの後、指示信号は、リソース番号がxである前記物理リソースを使用して制御信号を搬送するように指示しうる。
【０１７６】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１７７】
加えて、前述の実施形態において、異なる物理リソースグループにおける同じリソース番号は、異なる物理リソースに対応する。すなわち、異なる物理リソースグループにおいて、２つのリソース番号のそれぞれに対応する物理リソースの周波数シーケンス番号、例えば、図３におけるリソース番号 1とリソース番号 21、は、異なっている。この場合には、データが同じリソース番号を使用することにより送信される場合、異なる物理リソースグループにおいて使用される物理リソースの周波数シーケンス番号は、異なっている。したがって、システムへの周波数ドメイン干渉は、異なる物理リソースグループにおいて、異なっており、周波数ドメイン干渉ランダム化が達成され得る。
【０１７８】
図２において存在する問題を解消するために、他の実施形態が提唱される。異なる物理リソースグループにおける同じリソース番号が、異なる時間シーケンス番号及び同じ周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【０１７９】
具体的には、図４に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qtは、1である。これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)である。すなわち、受信端が、時間シーケンス番号が、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、floor(x/M)である前記物理リソース上で前記制御信号を検出し、取得することができるように、前記グルーピングの後、指示信号は、リソース番号がxである前記物理リソースを使用して制御信号を搬送するように指示しうる。
【０１８０】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１８１】
加えて、前述の実施形態において、異なる物理リソースグループにおける同じリソース番号は、異なる物理リソースに対応する。すなわち、異なる物理リソースグループにおいて、２つのリソース番号のそれぞれに対応する物理リソースの時間シーケンス番号、例えば、図４におけるリソース番号 1とリソース番号 21は、異なっている。この場合には、データが同じリソース番号を使用することにより送信される場合、異なる物理リソースグループにおいて使用される物理リソースの時間シーケンス番号は、異なっている。したがって、システムへの時間ドメイン干渉は、異なる物理リソースグループにおいて異なっており、時間ドメイン干渉ランダム化は達成され得る。
【０１８２】
図３における前記実施形態は、前記周波数ドメイン干渉の問題を解消するが、時間ドメイン干渉がランダム化されることができないという問題は依然として存在し、同様に、図４における前記実施形態は、前記時間ドメイン干渉の問題を解消するが、前記周波数ドメイン干渉がランダム化されることができないという問題が依然として存在し、したがって、システムパフォーマンスに依然として影響する。
【０１８３】
図２において存在する問題をよりよく解消するために、他の実施形態が提唱される。異なる物理リソースグループにおける同じリソース番号が、異なる時間シーケンス番号及び異なる周波数シーケンス番号に対応する場合、各物理リソースグループは、M 時間リソースを含み、各時間リソースは、N 周波数リソースを含み、この場合には、各物理リソースグループは、M*N 物理リソースを含み、すなわち、M*N リソース番号を含む。したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【０１８４】
具体的には、図５に示されているように、前記物理リソースグループの前記シーケンス番号Pは、０から２であり、Mは、５であり、前記時間シーケンス番号は、０から４である。Nは、１２であり、前記周波数シーケンス番号は、０から１１であり、Qtは、1であり、Qfは、４である。これらの時間リソース及び周波数リソースは、番号付けされている。リソース番号がxである各物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]である。すなわち、受信端が、時間シーケンス番号が
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、周波数シーケンス番号が、mod[floor(x/M)+P*Qf,N]である前記物理リソース上で前記制御信号を検出し、取得することができるように、前記グルーピングの後、指示信号は、リソース番号がxである前記物理リソースを使用して制御信号を搬送するように指示しうる。
【０１８５】
したがって、本発明のこの実施形態において、受信端が、ブラインド検出などの複雑な動作を実行する必要なしに、対応する物理リソース上で、前記制御信号を検出し、取得することができるように、多数の時間リソース及び多数の周波数リソースを含む物理リソースをグルーピングすることにより、指示信号は、制御信号を搬送する物理リソースのリソース番号を正確に示すことができ、これにより、前記受信端における処理時間及び電気的エネルギー消費量を節約する。
【０１８６】
加えて、前述の実施形態において、異なる物理リソースグループにおける同じリソース番号は、異なる物理リソースに対応する。すなわち、異なる物理リソースグループにおいて、時間シーケンス番号及び２つのリソース番号のそれぞれに対応する物理リソースの周波数シーケンス番号、例えば、図５におけるリソース番号 1とリソース番号 21、は、異なっている。この場合には、データが同じリソース番号を使用することにより送信される場合、時間シーケンス番号と、異なる物理リソースグループにおいて使用される物理リソースの周波数シーケンス番号は、異なっている。したがって、時間ドメイン干渉及びシステムへの周波数ドメイン干渉は、異なる物理リソースグループにおいて異なっており、時間ドメイン干渉ランダム化及び周波数ドメイン干渉ランダム化は達成され得る。
【０１８７】
同様に、他の実施形態において、Mは、2以上の正の整数であってよく、及び／又はNは、２以上の正の整数であってよい。
【０１８８】
多数の時間リソース及び／又は多数の周波数リソースの前記グルーピングは、スケジューリング割り当て信号は、制御信号を搬送する物理リソースを正確に示すことができないという技術的問題を解決することにおいて、本発明のこの実施形態の技術的利点をより反映し得る、と理解すべきである。
【０１８９】
本発明のこの実施形態によれば、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【０１９０】
具体的には、前記時間リソース番号は、1つまたは複数の時間シーケンス番号を含み得るが、本発明のこの実施形態において限定されない。
【０１９１】
プリセット方法に従って判定された、異なる時間リソース番号の中で、又は異なる時間シーケンス番号の中で、同じ周波数リソース番号は、同じ周波数シーケンス番号又は異なる周波数シーケンス番号に対応し得る、と理解すべきである。これら２つの場合に合致する方法は、本発明のこの実施形態の保護範囲内に入るものである。
【０１９２】
代わりに、他の実施形態において、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示している。
【０１９３】
図６は、本発明の他の実施形態に従う信号送信方法における制御信号を搬送する物理リソースを示すステップの結果の概略図である。具体的には、図６に示されているように、前記時間シーケンス番号は、０から１１であり、Nは、１２であり、前記周波数シーケンス番号は、０から１１である。周波数リソース番号がｘである物理リソースの周波数シーケンス番号は、mod(x,N)である。すなわち、受信端が、時間シーケンス番号が指定され、周波数シーケンス番号が、mod(x,N)である前記物理リソース上で前記制御信号を検出し、取得することができるように、指示信号は、時間シーケンス番号が指定され、周波数シーケンス番号が、mod(x,N)である任意の物理リソースを使用して制御信号を搬送するように指示しうる。
【０１９４】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１９５】
代わりに、他の実施形態において、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、すなわち、周波数シーケンス番号の量であり、Qfは、周波数ホッピングステップであり、xは、ゼロ又は正の整数であり、NとQfは、正の整数である。
【０１９６】
具体的には、図７に示されているように、前記時間シーケンス番号Ptは、０から１１であり、Nは、１２であり、前記周波数シーケンス番号は、０から１１であり、Qfは、1である。周波数リソース番号がxである物理リソースの周波数シーケンス番号は、mod(x+Pt*Qf,N)である。すなわち、受信端が、前記時間シーケンス番号がPtであり、周波数シーケンス番号がmod(x+Pt*Qf,N)である物理リソース上で前記制御信号を検出し、取得することができるように、指示信号は、時間シーケンス番号がPtであり、周波数シーケンス番号がmod(x+Pt*Qf,N)である物理リソースを使用して制御信号を搬送するように指示しうる。
【０１９７】
したがって、本発明のこの実施形態において、受信端が、ブラインド検出などの複雑な動作を実行する必要なしに、対応する物理リソース上で、前記制御信号を検出し、取得することができるように、制御信号を搬送する周波数シーケンス番号及び物理リソースの時間シーケンス番号は、指示信号を使用することにより示され得、これにより、前記受信端における処理時間及び電気的エネルギー消費量を節約する。
【０１９８】
加えて、前述の実施形態において、異なる時間シーケンス番号の中で、同じ周波数リソース番号は、異なる周波数シーケンス番号に対応する。すなわち、異なる時間シーケンス番号の中で、2つの周波数リソース番号のそれぞれに対応する周波数シーケンス番号は異なっており、例えば、図７における周波数リソース番号 1と周波数リソース番号 5である。この場合には、周波数ドメイン干渉ランダム化は、達成され得る。
【０１９９】
同様に、他の実施形態において、Qf及び／又はQtは、セル識別情報により判定され、例えば、Qfは、Qf=mod(ID_cell,N)であり、及び／又はQtは、Qt=(ID_cell, M)であり、ここで、ID_cellは、前記セル識別情報である。
【０２００】
前記セル識別情報を使用することにより、前記周波数ホッピングステップ及び／又は前記タイミングホッピングステップを判定し、セル間干渉ランダム化が達成され得、これにより、前記受信端のセル間干渉の抑制又は相殺を促す、と理解すべきである。
【０２０１】
代わりに、他の実施形態において、前記セル識別情報は、物理的セル識別情報(PCI:Physical Cell identity)であってもよい。
【０２０２】
LTE通信システムにおいて、前記物理的セル識別子を使用することにより、前記周波数ホッピングステップ、及び／又は、前記タイミングホッピングステップを判定し、セル間干渉ランダム化が達成され得、これにより、前記受信端のセル間干渉の抑制又は相殺を促す、と理解すべきである。
【０２０３】
代わりに、他の実施形態において、前記リソース番号は、前記ユーザ装置が前記1つまたは複数の制御信号により占有される前記物理リソースをグルーピングした後に判定され、以下を含む：前記ユーザ装置は、前記グルーピングの結果に従って、前記リソース番号を判定し、前記グルーピングの結果は、前記サードパーティ又は前記受信端から取得され、すなわち、前記受信端又は前記サードパーティは、前記1つまたは複数の制御信号により占有される前記物理リソースをグルーピングする。
【０２０４】
代わりに、他の実施形態において、前記プロセッサ920は、具体的には、リソース番号と、1つまたは複数の制御信号により占有される物理リソースとの対応に従って、前記1つまたは複数の制御信号により占有される前記物理リソースをグルーピングし、そして、前記グルーピングの結果に従って、前記リソース番号を判定するように構成されており、ここで、リソース番号と、1つまたは複数の制御信号により占有される物理リソースとの間の対応は、プリセットされるか、前記受信端からフィードバクされるか、又は、前記サードパーティにより提供される。
【０２０５】
代わりに、他の実施形態において、前記送信器930は、具体的には、リソース番号と、1つまたは複数の制御信号により占有される物理リソースとの間の対応を前記受信端に送信するように構成されている。
【０２０６】
任意で、前記受信器910は、具体的には、前記基地局により送信される指示信号を受信するように構成されている。
【０２０７】
図９において示されている前記ユーザ装置は、図１における方法の実施形態においてユーザ装置により履行される全ての処理を実施できることに留意すべきである。前記ユーザ装置900の他の機能及び操作については、図１における前記方法の実施形態における前記ユーザ装置を含む処理を参照する。繰り返しを避けるために、ここでは再び説明しない。
【０２０８】
本明細書における用語「及び／又は」は、説明されている関連するオブジェクトの単なる関連関係を説明しており、存在し得る３つの関係を意味している。例えば、「A及び／又はB」は、以下の３つの場合を意味し得る：Aのみ存在、AとBの双方が存在、そしてBのみ存在。加えて、本明細書において文字「／」は、通常関連するオブジェクト間の「又は(or)」関係を示している。
【０２０９】
前述の処理のシーケンス番号は、本発明の種々の実施形態における実行シーケンスを意味するものではない、と理解すべきである。前記処理の実行シーケンスは、前記処理の機能及び内部ロジックに従って決定されるべきであり、本発明の前記実施形態の実施処理を限定するものであると解釈すべきではない。
【０２１０】
この明細書において開示されている前記実施形態において説明されている例の組み合わせ、ユニット及びアルゴリズムステップは、電子工学ハードウェア、又は、コンピュータソフトウェア及び電子工学ハードウェアの組み合わせにより実施され得ることに、当業者は気づき得る。前記機能がハードウェア又はソフトウェアにより実行されるかどうかは、特定のアプリケーション及び前記技術的ソリューションの設計における拘束条件に基づく。当業者は、各特定のアプリケーションのために説明された機能を実施するために異なる方法を使用し得るが、実装が前記本発明の範囲を超えていると考えるべきではない。
【０２１１】
前述のシステム、装置、及びユニットの詳細な作業工程については、対応する前述の方法の実施形態における処理を参照し当業者によって明らかに理解することができ、便利で簡単な説明の目的のために詳細はここでは再び説明されない。
【０２１２】
本明細書において提供されるいくつかの実施形態において、開示された前記システム、装置、及び方法は、他の方法においても実施可能である、と理解すべきである。例えば、開示された前記装置の実施形態は、単に例示である。例えば、前記ユニット区分は、単に論理機能区分であり、実際の実装において他の区分であってもよい。例えば、複数のユニット又はコンポーネントは、他のシステムに組み合わせ、又は統合されてもよく、又は、いくつかの特徴は、無視又は実行されなくてもよい。加えて、表示された又は議論された相互結合又は直接結合又は通信接続は、いくつかのインターフェースを通じて実装されてよい。装置又はユニット間の間接的な接続又は通信接続は、電気的、機械的、又は他の形式で実装され得る。
【０２１３】
別々の部分として説明されたユニットは、物理的に別個であっても、そうでなくてもよく、ユニットとして表示された部分は、物理的なユニットであっても、そうでなくてもよく、１つの位置に配置され得、又は複数のネットワークユニット上に分散されてもよい。いくつか又はすべてのユニットは、前記実施形態のソリューションの目的を達成するための実際の必要性に従って選択され得る。
【０２１４】
加えて、本発明の前記実施形態における機能ユニットは、１つの処理ユニットに統合してよく、又は、各ユニットは、物理的に単体で存在してもよく、又は、２以上のユニットが１つのユニットに統合されてもよい。
【０２１５】
前記機能が、ソフトウェア機能ユニットの形式において実装され、独立した製品として販売され又は使用される場合、前記機能は、コンピュータ読み取り可能な記録媒体に格納され得る。そのような理解に基づき、本質的に本発明の前記技術的ソリューション、又は従来技術に寄与する部分、又は前記技術的ソリューションのいくつかは、ソフトウェア製品の形式において実施され得る。前記ソフトウェア製品は、格納媒体内に格納され、コンピュータデバイス(パーソナルコンピュータ、サーバ、又はネットワークデバイスであり得る)に、本発明の前記実施形態において説明された前記方法のステップの全て又はいくつかを実行するように指示するためのいくつかの命令を備えている。先述の格納媒体は、USBフラッシュドライブ、リムーバブルハードディスク、読み出し専用メモリ(ROM：Read-Only Memory)、ランダム・アクセス・メモリ(RAM：Random Access Memory)、磁気ディスク、又は光学ディスクなどといったプログラムコードを格納できる任意の媒体を含む。
【０２１６】
上記の説明は本発明の例示的な特定の実施形態にすぎず、本発明の保護範囲を限定するものではない。前記本発明において開示された技術的範囲内で当業者により考え出されたいかなる変形または置換も、本発明の保護範囲内に入るものとする。したがって、本発明の保護範囲は、特許請求の範囲の保護範囲に従うものとする。
【０２１７】
本発明の実施形態は、指示信号を受信するように構成されている受信ユニットであって、前記指示信号は、1つまたは複数の制御信号により物理リソースのリソース番号が占有されていることを示すために使用され、前記リソース番号は、前記物理リソースの時間情報及び周波数情報を具備する、受信ユニットと、前記リソース番号に従って、対応する物理リソースを前記1つまたは複数の制御信号に割り当てるように構成されている割り当てユニットと、前記1つまたは複数の制御信号を送信するように構成されている送信ユニットと、を具備するユーザ装置を提供する。
【０２１８】
前記実施形態に従う前記ユーザ装置の第１の展開は、前記リソース番号は、前記物理リソースがグルーピングされている前記1つまたは複数の制御信号により占有された後に判定され、前記時間情報は、時間シーケンス番号であり、前記周波数情報は、周波数シーケンス番号であり、異なる物理リソースグループにおける同じリソース番号は、同じ時間シーケンス番号及び同じ周波数シーケンス番号に対応するか、又は、異なる物理リソースグループにおける同じリソース番号は、同じ時間シーケンス番号及び異なる周波数シーケンス番号に対応するか、又は、異なる物理リソースグループにおける同じリソース番号は、異なる時間シーケンス番号及び同じ周波数シーケンス番号に対応するか、又は、異なる物理リソースグループにおける同じリソース番号は、異なる時間シーケンス番号及び異なる周波数シーケンス番号に対応する。
【０２１９】
前記実施形態に従う前記ユーザ装置の第２の展開は、異なる物理リソースグループにおける同じリソース番号が、同じ時間シーケンス番号及び同じ周波数シーケンス番号に対応する場合、前記物理リソースグループのそれぞれは、M時間リソースを具備し、前記時間リソースのそれぞれは、N周波数リソースを具備し、したがって、リソース番号がxである、物理リソースの時間シーケンス番号は、mod(x,M)であり、前記物理リソースの周波数シーケンス番号は、floor(x/M)であり、ここで、mod()は、モジュロ関数であり、floor()は、床関数であり、xは、ゼロ又は正の整数であり、M及びNは、正の整数である。
【０２２０】
前記実施形態に従う前記ユーザ装置の第３の展開は、異なる物理リソースグループにおける同じリソース番号が、同じ時間シーケンス番号及び異なる周波数シーケンス番号に対応する場合、前記物理リソースグループのそれぞれは、M時間リソースを具備し、前記時間リソースのそれぞれは、N周波数リソースを具備し、したがって、リソース番号がxである、物理リソースの時間シーケンス番号は、mod(x,M)であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qfは、周波数ホッピングステップであり、xは、ゼロ又は正の整数であり、M, N, 及びQfは、正の整数である。
【０２２１】
前記実施形態に従う前記ユーザ装置の第４の展開は、異なる物理リソースグループにおける同じリソース番号が、異なる時間シーケンス番号及び同じ周波数シーケンス番号に対応する場合、前記物理リソースグループのそれぞれは、M時間リソースを具備し、前記時間リソースのそれぞれは、N周波数リソースを具備し、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、floor(x/M)であり、ここで、mod()は、モジュロ関数であり、floor()は、床関数であり、Pは、物理リソースグループのシーケンス番号を示すゼロ又は正の整数であり、Qtは、タイミングホッピングステップであり、xは、ゼロ又は正の整数であり、M, N, 及びQtは、正の整数である。
【０２２２】
前記実施形態に従う前記ユーザ装置の第５の展開は、異なる物理リソースグループにおける同じリソース番号が、異なる時間シーケンス番号及び異なる周波数シーケンス番号に対応する場合、前記物理リソースグループのそれぞれは、M時間リソースを具備し、前記時間リソースのそれぞれは、N周波数リソースを具備し、したがって、リソース番号がxである、物理リソースの時間シーケンス番号は、
mod{mod(x,M)-mod[[floor(x/M)+1]*Qt*P,M-1],M},
mod{mod(x,M)+mod[[floor(x/M)+1]*Qt*P,M-1],M},
mod{mod(x,M)-[mod[floor(x/M),M-1]+1]*Qt*P,M}, 又は、
mod{mod(x,M)+[mod[floor(x/M),M-1]+1]*Qt*P,M},
であり、前記物理リソースの周波数シーケンス番号は、mod[floor(x/M)+P*Qf,N]であり、ここで、mod()は、モジュロ関数であり、floor()は、床関数であり、Pは、物理リソースグループのシーケンス番号を示すゼロ又は正の整数であり、Qtは、タイミングホッピングステップであり、Qfは、周波数ホッピングステップであり、xは、ゼロ又は正の整数であり、M, N, Qt, 及びQfは、正の整数である。
【０２２３】
前記実施形態に従う前記ユーザ装置の第６の展開は、前記時間情報は、時間リソース番号であり、前記周波数情報は、周波数リソース番号であり、異なる時間リソース番号の中で、同じ周波数リソース番号は、同じ周波数シーケンス番号、又は異なる周波数シーケンス番号に対応する。
【０２２４】
前記実施形態に従う前記ユーザ装置の第７の展開は、異なる時間リソース番号の中で、同じ周波数リソース番号が、同じ周波数シーケンス番号に対応する場合、周波数リソース番号がｘである物理リソースの周波数シーケンス番号は、mod(x,N)であり、ここで、mod()は、モジュロ関数であり、xは、ゼロ又は正の整数であり、Nは、正の整数であり、それぞれの時間シーケンス番号に対応する周波数リソース番号の数を示している。
【０２２５】
前記実施形態に従う前記ユーザ装置の第８の展開は、異なる時間リソース番号の中で、同じ周波数リソース番号が、異なる周波数シーケンス番号に対応する場合、周波数リソース番号がxである物理リソースの周波数シーケンス番号は、mod(x+Pt*Qf,N)であり、ここで、mod()は、モジュロ関数であり、Ptは、時間シーケンス番号を示す、ゼロ又は正の整数であり、Nは、それぞれの時間シーケンス番号に対応する周波数リソース番号の数を示しており、Qfは、周波数ホッピングステップであり、xは、ゼロ又は正の整数であり、NとQfは、正の整数である。
【０２２６】
前記実施形態に従う前記ユーザ装置の第９の展開は、Qf及び／又はQtは、セル識別情報により判定される。
【０２２７】
前記実施形態に従う前記ユーザ装置の第１０の展開は、Qfは、Qf=mod(ID_cell,N)であり、及び／又は、Qtは、Qt=mod(ID_cell,M)であり、ここで、ID_cellは、前記セル識別情報である。
【０２２８】
前記実施形態に従う前記ユーザ装置の第１１の展開は、前記セル識別情報は、物理的セル識別情報である。
【０２２９】
前記実施形態に従う前記ユーザ装置の第１２の展開は、Mは２以上の正の整数である、及び／又は、Nは２以上の正の整数である。
【０２３０】
前記実施形態に従う前記ユーザ装置の第１３の展開は、前記受信ユニットは、具体的には、基地局により送信された指示信号を受信するように構成されている。
【符号の説明】
【０２３１】
８１０  受信ユニット
８２０  組込みユニット
８３０  送信ユニット
９１０  受信器
９２０  プロセッサ
９３０  送信器
【国際調査報告】
2016529784.tif 000012
2016529784.tif 000013
2016529784.tif 000014
2016529784.tif 000015